(57)【要約】印刷調整方法は、意図された密度値を表す校正刷り（プルーフィング）デバイスによって生成された複数のソリッドと網かけの密度値を提供するステップを含む。本方法はまた、プレス出力デバイスによって生成された複数のソリッド密度値と網かけの密度値とを提供するステップを含む。本方法はまた、このプレス出力デバイスによって生成されたこの複数の密度値から選択された値と前記校正刷りデバイスによって生成されたこの複数の密度値から選択された値とに応じて、この意図された密度値にほぼ対応する複数の調整済み密度値をこのプレス出力デバイス上で印刷するために用いられる予定の必要とされるパーセントドット値を計算するステップを含む。ある特定の実施形態では、このプレス出力デバイスによって生成されたこの複数のソリッド密度値を、第１の軸に沿ってその密度をほぼ線形に変化させるが、この第１の軸は、このプレス出力デバイスの出力が生成された方向とほぼ直角を成している。
2004538174.tif 000002
【特許請求の範囲】
【請求項１】
意図された密度値を表す校正刷りデバイスによって生成された複数のソリッド密度値と網かけの密度値とを提供するステップと；
プレス出力デバイスによって生成された複数のソリッド密度値と網かけの密度値とを提供するステップと；
前記プレス出力デバイスによって生成された前記複数の密度値から選択された値と前記校正刷りデバイスによって生成された前記複数の密度値から選択された値とに応じて、前記意図された密度値にほぼ対応する複数の調整済み密度値を前記プレス出力デバイス上で印刷するために用いられる予定の必要とされるパーセントドット値を計算するステップと；
を含む印刷調整方法。
【請求項２】
前記計算ステップが：
前記プレス出力デバイスによって生成された前記複数のソリッド密度値からソリッド密度目標ポイントにほぼ対応する値を選択するステップと；
前記選択された値の統計的表現を提供するステップと；
ソリッド密度目標ポイントにほぼ対応する前記選択された値にほぼ対応する前記プレス出力デバイスによって生成された前記複数のソリッド密度値の内の値を用いて、ソリッド密度目標ポイントにほぼ対応する前記選択された値の回帰分析を実行するステップと；
前記回帰分析と前記校正刷りデバイスによって生成された前記密度値の内の少なくとも１つとに反応して、前記プレス出力デバイスによって生成された前記密度値の内の少なくとも１つに対して第１の調整値を適用するステップと；
前記第１の調整値に反応して補間法を用い、これによって、前記必要とされるパーセントドット値を提供するステップと；
を含む、請求項１に記載の方法。
【請求項３】
前記計算ステップが、前記プレス出力デバイスによって生成された前記網かけ密度値の内の少なくとも１つの値と前記プレス出力デバイスによって生成された前記ソリッド密度値の内の少なくとも１つの値との間の数学的関係を提供する回帰分析を実行するステップを含む、請求項１に記載の方法。
【請求項４】
前記計算ステップが、第１の値と第２の値の積に比例した分量に応じて前記プレス出力デバイスによって生成された前記網かけ密度値の内の少なくとも１つの値を調整する補間法を用いるステップを含み、前記第１の値が前記プレス出力デバイスによって生成された前記網かけ密度値の内の互いに異なった２つの値同士間の差のパーセントドット値であり、前記第２の値が前記意図された密度値の内の少なくとも１つの値と前記プレス出力デバイスによって生成された前記網かけ密度値の内の前記２つの内の一方の値との差と前記プレス出力デバイスによって生成された前記網かけ密度値の内の前記２つの値同士間の前記差との比である、請求項１に記載の方法。
【請求項５】
前記密度値が、前記プレス出力デバイスによって生成された前記密度値がそれから提供された基板の密度をそれから減算された値を表す、請求項１に記載の方法。
【請求項６】
前記必要とされるドット値を用いて画像を印刷するステップをさらに含む、請求項１に記載の方法。
【請求項７】
前記プレス出力デバイスによって生成された前記複数のソリッド密度値が、第１の軸に沿って密度がほぼ線形に変化し、前記第１の軸が前記プレス出力デバイスの出力が生成される方向とほぼ直行する、請求項１に記載の方法。
【請求項８】
前記ほぼ線形の密度変化が、インク膜圧の変化によって生成される、請求項７に記載の方法。
【請求項９】
前記網かけ密度値が、５、１０、２５、５０、７５及び９０パーセントドットから成るグループから選択される値を含む、請求項１に記載の方法。
【請求項１０】
中間プレスプロフィール調整値を用いて、印刷機や周辺の印刷条件の印刷特徴の変動を補償するステップをさらに含む、請求項１に記載の方法。
【請求項１１】
複数のインク壺ゾーン制御機器を有する前記プレス出力デバイスによって生成された複数のセグメントを提供するステップであり、前記セグメントの各々が、幅と、各々が該幅の端数として測定可能なオフセット値を有する複数のセグメントソリッド密度色値と、セグメント中心とを有する、該ステップと；
前記プレス出力デバイスによって印刷される予定の指定されたコピー内容に対して、前記セグメントの少なくとも１部を網羅されたセグメントとして識別するステップであり、該網羅されたセグメントが第１の端セグメントと第２の端セグメントを有する、該ステップと；
前記複数のセグメントソリッド密度色値の少なくとも１部に対する色密度変化を計算するステップと；
前記オフセット値と前記色密度変化の少なくとも１部とに反応して、前記インク壺ゾーン制御機器の内の少なくとも１つに対する調整データを計算するステップであり、該調整データが、前記インク壺ゾーン制御機器によって供給されるインクを調整するために用いられるようになっている、該ステップと；
をさらに含む、請求項１に記載の方法。
【請求項１２】
各々が前記プレス出力デバイスによって生成された第２の複数のソリッドと網かけの密度値を有する線形の又は変換されたセグメントから成る前記グループの１つを提供するステップと；
前記プレス出力デバイスによって生成された前記複数のソリッドと網かけの密度値の少なくともサブセットの統計的表示とそれに対応する、前記第２の複数のソリッドと網かけの密度値の少なくともサブセットから取った１つの値の表示との間の密度変化データを自動的に計算するステップであり、該密度変化データは、階調再現性調整値を自動的に計算するために用いられるようになっており、該階調再現性調整値は、前記必要とされるパーセントドット値を生成させるために用いられる、該ステップと；
をさらに含む、請求項１に記載の方法。
【請求項１３】
プレス出力デバイスによって生成された複数のソリッド色制御領域であり、該ソリッド色制御領域は軸にほぼ沿った位置に対応する、該領域と；
前記プレス出力デバイスによって生成された複数の網かけ色制御領域と；
を備え、前記複数のソリッド色制御領域の内の少なくとも２つの領域に対する密度値が、前記軸に沿って所定の値を用いて意図的に変化される、印刷調整データフォーム。
【請求項１４】
前記密度値が前記軸に沿ってほぼ線形に変化される、請求項１３に記載の印刷調整データフォーム。
【請求項１５】
前記密度値が前記軸に沿ってインク膜圧を調節することによって変化される、請求項１３に記載の印刷調整データフォーム。
【請求項１６】
前記領域の内の少なくとも１つの領域のロケーションが、前記プレス出力デバイス上のインク壺ゾーン制御機器の位置にほぼ対応する、請求項１３に記載の印刷調整フォーム。
【請求項１７】
前記ソリッド色制御領域の内の少なくとも１つの領域の前記密度値は、それが、所望の許容範囲内の選択された目標密度値に対応していれば選択される、請求項１３に記載の印刷調整データフォーム。
【請求項１８】
前記プレス出力デバイスによって生成された前記複数のソリッド色制御領域から選択された領域からの密度値が、校正刷りデバイスによって生成された色制御領域からの意図された密度値と比較されるようになっており、
前記プレス出力デバイスによって生成された前記複数の網かけ色制御領域からの密度値が、前記比較に応じて調整されるようになっており、また、必要とされるパーセントドット値が、前記調整に応じて計算され、また、前記必要とされるパーセントドット値を用いて、前記意図された密度値にほぼ対応する複数の調整済み密度値を前記プレ出力デバイス上で印刷する、請求項１３に記載の印刷調整データフォーム。
【請求項１９】
密度値を有する画像データを印刷する用になっているプレス出力デバイスと；
前記プレス出力デバイスに入力データを提供するようになっているコンピュータであり、該コンピュータはさらに：
意図された密度値を表す校正刷りデバイスによって生成された複数のソリッドと網かけの密度値を読みとり；
前記プレス出力デバイスによって生成された複数のソリッドと網かけの密度値を読みとり；
前記プレス出力デバイスによって生成された前記複数の密度値から選択された値と前記校正刷りデバイスによって生成された前記複数の密度値から選択された値とに応じて、前記意図された密度値にほぼ対応する複数の調整済み密度値を前記プレス出力デバイス上で印刷するために用いられる予定の必要とされるパーセントドット値を計算する；
ようになっている、該コンピュータと；
を備える、印刷システム。
【請求項２０】
前記プレス出力デバイス入力データは、ＣＴＰプレート、シリンダ、中間膜及び直接撮像技術から成るグループの内の少なくとも１つで利用されるデータを含む、請求項１９に記載のシステム。
【請求項２１】
前記密度値が、分光測光器、デンシトメーター及びスキャナから成るグループの内の１つによって提供される、請求項１９に記載のシステム。
【請求項２２】
前記コンピュータがさらに：
前記プレス出力デバイスによって生成された前記複数のソリッド密度から、ソリッド密度目標ポイントにほぼ対応する値を選択するステップと；
前記選択された値の統計的表示を提供するステップと；
ソリッド密度目標ポイントにほぼ対応する前記選択された値にほぼ対応する前記プレス出力デバイスによって生成された前記複数のソリッド密度値の内の値を用いて、ソリッド密度目標ポイントにほぼ対応する前記選択済みの値を回帰分析するステップと；
前記回帰分析と前記校正刷りデバイスによって生成された前記密度値の内の少なくとも１つの値とに応じて、前記プレス出力デバイスによって生成された前記密度値の内の少なくとも１つの値に対して第１の調整を適用するステップと；
前記第１の調整に反応して補間を利用して、前記必要とされるパーセントドット値を提供するステップと；
を含むことによって計算するようになっている、請求項１９に記載のシステム。
【請求項２３】
前記コンピュータがさらに、前記プレス出力デバイスによって生成された前記網かけ密度値の内の少なくとも１つの値と前記プレス出力デバイスによって生成された前記ソリッド密度値の内の少なくとも１つの値との間の数学的関係を提供する回帰分析を実行するステップを含むことによって計算するようになっている、請求項１９に記載のシステム。
【請求項２４】
前記コンピュータがさらに、第１の値と第２の値の積に比例した量に応じて前記プレス出力デバイスによって生成された前記網かけ密度値の内の少なくとも１つの値を調整する補間法を用いるステップを含むことによって計算するようになっており、前記第１の値は、前記プレス出力デバイスによって生成された前記網かけ密度値の内の２つ値同士間の差のパーセントドット値であり、前記第２の値は、
前記意図された密度値の内の少なくとも１つの値と前記プレス出力デバイスによって生成された前記網かけ密度値の内の前記２つの値の内の一方のとの間の差の、前記プレス出力デバイスによって生成された前記網かけ密度値の内の前記２つの値同士間の前記差に対する比率である、請求項１９に記載のシステム。
【請求項２５】
前記プレス出力デバイスによって生成された前記複数のソリッド密度値は、第１の軸に沿ってその密度がほぼ線形に変化、前記第１の軸は、前記画像データがその上で生成された基板が前記プレス出力デバイスを介して処理される方向とほぼ直角である、請求項１９に記載のシステム。
【請求項２６】
前記コンピュータがさらに、中間プレスプロフィール調整値を用いて印刷機又は周辺印刷条件の印刷特徴の変動を補償するステップを含むようになっている、請求項１９に記載のシステム。
【請求項２７】
基板と；
前記基板上に常駐するプレス出力デバイスによって生成された画像データであり、該画像データは、意図された密度値を表す第１の複数のソリッドと網かけの密度値から選択された値と第２の複数のソリッドと網かけの密度値から選択された値とに反応して自動的に計算された必要とされるパーセントドット値に反応して生成されており、該必要とされるパーセントドット値は、該意図された密度値にほぼ対応する調整済み密度を提供する該プレス出力デバイスによって生成されている、該画像データと；
を備え、前記複数のソリッドと網かけの密度値が校正刷りデバイスによって生成され、また、前記第２の複数のソリッドと網かけの密度値が前記プレス出力デバイスによって生成される、印刷された画像。
【請求項２８】
前記画像データが、ＣＴＰプレート、シリンダ、中間膜及び直接撮像技術から成るグループの内の少なくとも１つによって生成されるデータを含む、請求項２７に記載の画像。
【請求項２９】
前記必要とされるパーセントドット値が、前記プレス出力デバイスによって生成された前記網かけ密度値の内の少なくとも１つの値と前記プレス出力デバイスによって生成された前記ソリッド密度値の内の少なくとも１つの値との間の数学的関係を提供する回帰分析を実行するステップを含む、請求項２７に記載の画像。
【請求項３０】
前記第２の複数の前記ソリッドと網かけの密度値の内の少なくともソリッド密度値が、第１の軸に沿って密度がほぼ線形に変化し、前記第１の軸が、前記画像データが常駐する前記基板が前記プレス出力デバイスを介して処理される方向とほぼ直行する、請求項２７に記載の画像。
【請求項３１】
前記必要とされるパーセントドット値が、第１の値と第２の値の積に比例した量に反応して前記プレス出力デバイスによって生成された前記網かけ密度値の内の少なくとも１つの値を調整する補間法を用いるステップを含むことによって計算され、前記第１の値は、前記プレス出力デバイスによって生成された前記網かけ密度値の内の２つ値同士間の差のパーセントドット値であり、前記第２の値は、前記意図された密度値の内の少なくとも１つの値と前記プレス出力デバイスによって生成された前記網かけ密度値の内の前記２つの値の内の一方のとの間の差の、前記プレス出力デバイスによって生成された前記網かけ密度値の内の前記２つの値同士間の前記差に対する比率である、請求項２７に記載の画像。
【請求項３２】
前記必要とされるパーセントドット値が、中間プレスプロフィール調整値を用いて、印刷機や周辺の印刷条件の印刷特徴の変動を補償するステップによって計算される、請求項２７に記載の画像。
【請求項３３】
コンピュータ読みとり可能媒体と；
前記コンピュータ読みとり可能媒体上に常駐するソフトウエアであり；
プレス出力デバイスによって生成された画像データの第１の複数のソリッド色領域の密度値と前記プレス出力デバイスによって生成された画像データの複数の網かけ色領域の密度値との間の数学的関係を決定するように動作可能であり、前記プレス出力デバイスによって生成された生成された画像データの前記第１の複数のソリッド色領域は、所定の値を用いて意図的に変化され；
前記数学的関係に反応して、前記プレス出力デバイスによって生成された画像データの前記複数の網かけ色領域の密度値と、校正刷りデバイスによって生成された画像データの複数のソリッド色領域に反応して選択されたプレス出力デバイスによって生成された画像データの第２の複数のソリッド色領域の内のいくつかの領域の密度値とを調整するように動作可能であり、前記校正刷りデバイスによって生成された画像データの前記複数のソリッド色領域は、意図された密度値を表し；
第１の値と第２の値の積に比例した量に応じて前記プレス出力デバイスによって生成された画像データの前記複数の網かけ色領域の内の少なくとも１つの領域を調整することによって補間するように動作可能であり、前記第１の値は、前記プレス出力デバイスによって生成された画像データの前記複数の網かけ色領域の内の２つの領域のパーセントドット値同士間の差であり、前記第２の値は、前記意図された密度値の内の少なくとも１つの値と前記プレス出力デバイスによって生成された画像データの前記複数の網かけ色領域の内の前記２つの領域の内の一方の領域との差の、前記プレス出力デバイスによって生成された画像データの前記複数の網かけ色領域の内の前記２つの領域同士間の前記差に対する比率であり；
前記補間動作に反応して必要なパーセントドット値を決定するように動作可能であり、前記必要とされるパーセントドット値は、前記プレス出力デバイスによって生成された前記画像データの前記領域の内の少なくとも１つの領域の色密度値を、前記校正刷りデバイスによって生成された対応する領域の前記意図された密度値に近づけるように動作可能である；
該ソフトウエアと；
を備える印刷調整アプリケーション。
【請求項３４】
前記プレス出力デバイスによって生成された画像データの前記複数のソリッド色領域が第１の軸に沿ってその密度がほぼ線形に変化し、該第１の軸が、前記画像データがその上で生成される基板が前記プレス出力デバイスを介して処理される方向にほぼ直角を成す、請求項３３に記載のアプリケーション。
【請求項３５】
前記ソフトウエアがさらに、中間プレスプロフィール調整値を用いて印刷機又は周辺印刷条件の印刷特徴の変動を補償するようになっている、請求項３３に記載のアプリケーション。
【請求項３６】
前記プレス出力デバイスによって生成された画像データの前記第１の複数のソリッド色領域が、インク膜圧の変化によって意図的に変化される、請求項３３に記載のアプリケーション。
【請求項３７】
前記網かけ密度値が、５、１０、２５、５０、７５及び９０パーセントドットから成るグループから選択された値を含む、請求項３３に記載のアプリケーション。
【請求項３８】
前記ソフトウエアがさらに：
前記プレス出力デバイスによって生成された前記複数のセグメントの少なくとも１部分を、前記プレス出力デバイスによって印刷される予定の指定されたコピー内容に対する網羅されたセグメントとして識別するように動作可能であり、前記網羅されたセグメントが第１の端セグメントと第２の端セグメントを有し、前記セグメントは各々が、幅と、各々が前記幅の端数として測定可能なオフセット値を有する複数のセグメントソリッド密度値と、セグメント中心とを有し；
前記複数のセグメントソリッド密度色値の少なくともある部分に対する色密度変化を計算するようになっており；
前記オフセット値と前記色密度変化の少なくともある部分とに応じて、前記プレス出力デバイスの複数のインク壺ゾーン制御機器の内の少なくとも１つの制御機器に対する調整データを計算するようになっており、前記調整データは、前記複数のインク壺ゾーン制御機器の内の前記少なくとも１つの制御機器によって供給されるインクを調整するために用いられるようになっている；
請求項３３に記載のアプリケーション。
【請求項３９】
第１の複数のソリッドと網かけの密度値を提供するステップであり、前記台１の複数がプレス出力デバイスによって精製される、ステップと；
第２の複数のソリッドと網かけの密度値を提供するステップと；
前記第１の複数のソリッド密度値と網かけの密度値で成る少なくともサブセットを統計的表現とそれに対応する、前記第２の複数のソリッド密度値と網かけの密度値の少なくともサブセットの内の値の表現との間の密度変化データを自動的に計算するステップであり、該変化データが、印刷物製作作業を実行する前に前記プレス出力デバイス上でデータを生成するために階調再現性調整値を自動的に計算するために用いられるようになっている、ステップと；
印刷調整方法。
【請求項４０】
前記第２の複数のソリッド密度値と網かけの密度値が校正刷りデバイスによって生成され、また、前記製作作業中に前記プレス出力デバイス上で印刷される予定の意図された密度値を表す、請求項３９に記載の方法。
【請求項４１】
前記第２の複数のソリッド密度値と網かけの密度値が前記プレス出力デバイスによって生成され、また、前記第２の複数のソリッドと網かけの密度値の少なくともサブセットの内のある値の前記対応する表現が、校正刷りデバイスによって生成された複数のソリッドと網かけの密度値に反応して与えられた調整値を含み、前記校正刷りデバイスによって生成された前記複数のソリッドと網かけの密度値が、前記製作作業中に前記プレス出力デバイス上で印刷される予定の意図された密度値を表す、請求項３９に記載の方法。
【請求項４２】
第３の複数のソリッドと網かけの密度値を提供するステップであり、前記第３の複数が前記プレス出力デバイスによって生成されたものである、ステップと；
前記第１の複数のソリッドと網かけの密度値の少なくともサブセットの統計的表現とそれに対応する、前記第３の複数のソリッドと網かけの密度値の少なくともサブセットの内のいくつかの値の表現との間の追加の密度変化データを自動的に計算するステップであり、該追加の密度変化データが、前記製作作業を実行する前に前記プレス出力デバイス上でデータを生成するために階調再現性調整値を自動的に計算するために用いられるようになっており；また、前記第１の複数のソリッドと網かけの密度値が、変換されたセグメントと線形セグメントを含み、また、前記第２の複数のソリッドと網かけの密度値が、校正刷りデバイスによって生成され、また、前記製作作業中に前記プレス出力デバイス上で印刷される予定の前記意図された密度値を表す、ステップと；
をさらに含む、請求項３９に記載の方法。
【請求項４３】
前記第１の複数のソリッドと網かけの密度値が、５、１０、２５、５０、７５、９０及び１００パーセントドットから成るグループから選択された値を含む、請求項３９に記載の方法。
【請求項４４】
前記プレス出力デバイスからプレスプロフィールデータを提供するステップと；
校正刷りデバイスプロフィールデータを提供するステップと；
所望に応じて、前記プレスプロフィールデータと前記校正刷りデバイスプロフィールデータから成るグループの内の少なくとも一方に反応して前記プレス出力デバイス上で印刷される予定のパーセントデータ値に対応する密度調整値を自動的に計算するステップであり、前記調整値が、前記プレス出力デバイスによって生成された画像データに対する影響を軽減するように動作可能であり、前記影響が、印刷と周辺の印刷条件の印刷特徴の内の少なくとも一方の変動に起因する、ステップと；
をさらに含む、請求項３９に記載の方法。
【請求項４５】
プレス出力デバイスからプレスプロフィールデータを提供するステップと；
校正刷りデバイスプロフィールデータを提供するステップと；
所望に応じて、前記プレスプロフィールデータと前記校正刷りデバイスプロフィールデータから成るグループの内の少なくとも一方に反応して前記プレス出力デバイス上で印刷される予定のパーセントデータ値に対応する密度調整値を自動的に計算するステップであり、前記調整値が、前記プレス出力デバイスによって生成された画像データに対する影響を軽減するように動作可能であり、前記影響が、印刷と周辺の印刷条件の印刷特徴の内の少なくとも一方の変動に起因する、ステップと；
を含む印刷調整方法。
【請求項４６】
前記印刷と周辺の印刷条件の印刷特徴が、紙、インク、プレート、壺溶液、画像転送シリンダブランケット、プレスの機械的設定値、周囲の空気条件、周囲の湿度条件、周囲の温度条件及び化学薬品残留物条件から成るグループの特徴から選択される、請求項４５に記載の方法。
【請求項４７】
前記プレスプロフィールデータが：
前記プレス出力デバイスによって生成された複数のソリッド色制御領域であり、前記ソリッド色制御領域は軸にほぼ沿った位置に対応している、領域と；
前記プレス出力デバイスによって生成された複数の網かけ色制御領域と；
から提供される密度値を含み、前記複数のソリッド色制御領域の内の少なくとも２つの領域に対する前記密度値が、前記軸に沿って所定の値を用いて意図的に変化される、請求項４５に記載の方法。
【請求項４８】
前記複数のソリッド色制御領域の内の少なくとも２つに対する前記密度値が、前記軸に沿ってほぼ線形に変化される、請求項４５に記載の方法。
【請求項４９】
複数のインク壺ゾーン制御機器を有する前記プレス出力デバイスによって生成された複数のセグメントを提供するステップであり、前記セグメントの各々が、幅と、各々が該幅の端数として測定可能なオフセット値を有する複数のセグメントソリッド密度色値と、セグメント中心とを有する、該ステップと；
前記プレス出力デバイスによって印刷される予定の指定されたコピー内容に対して、前記セグメントの少なくとも１部を網羅されたセグメントとして識別するステップであり、該網羅されたセグメントが第１の端セグメントと第２の端セグメントを有する、該ステップと；
前記複数のセグメントソリッド密度色値の少なくとも１部に対する色密度変化を計算するステップと；
前記オフセット値と前記色密度変化の少なくとも１部とに反応して、前記インク壺ゾーン制御機器の内の少なくとも１つに対する調整データを計算するステップであり、該調整データが、前記インク壺ゾーン制御機器によって供給されるインクを調整するために用いられるようになっている、該ステップと；
を含む印刷調整方法。
【請求項５０】
前記調整データを計算する前記ステップがさらに：
前記第１の端セグメントの中心に対応する第１の仮想インク壺ゾーン制御機器の中心ロケーションと、前記第２の端セグメントの中心に対応する第２の仮想インク壺ゾーン制御機器の中心ロケーションとを識別するステップと；
前記オフセット値に対応して、各々がセグメントソリッド密度色値の少なくとも１部分に対応する仮想インク壺ゾーン制御機器番号を指定するステップと；
前記仮想インク壺ゾーン制御機器番号と前記複数のセグメントソリッド密度色値の少なくとも１部分に対する前記色密度変化とに対応して、前記インク壺ゾーン制御機器の内の少なくとも１つの制御機器と関連する色密度変化を補間して、前記調整データを作成するステップと；
を含む、請求項４９に記載の方法。
【請求項５１】
前記色密度変化が、所定のソリッド主要密度目標ポイントに反応して差として計算される、請求項４９に記載の方法。
【請求項５２】
前記仮想インク壺ゾーン制御機器の各々が、前記複数のインク壺ゾーン制御機器の内の２つの制御機器同士間の補間された距離として計算される、請求項４９に記載の方法。
【請求項５３】
前記調整値の内の少なくとも１つが所望の許容範囲内にあるかを決定するステップをさらに含む、請求項４９に記載の方法。
【請求項５４】
前記幅が調整可能である、請求項４９に記載の方法。
【発明の詳細な説明】
【技術分野】
【０００１】
本発明は、印刷の分野に関し、より詳しくは、印刷を調整するシステムと方法に関する。
【背景技術】
【０００２】
オフセットプレス上でのフルカラー印刷は、白黒又は単に１つか２つの事前混合スポットインクで印刷することに長い間慣れてきたクライアントにとっては比較的信頼性が高く値段も手頃なものとなっている。このような印刷は、光化学的プロセスを利用して、オリジナルの多色材料を印刷で用いられる４つの構成色に減少させる。たとえば、印刷されたカラー画像は、様々な強度の４基本色であるマジェンタ（「Ｍ」）、黄色（「Ｙ」）、シアン（「Ｃ」）及び黒（「Ｋ」）を、４色プロセス印刷として知られている印刷プロセスを用いて合成している。実際は、顧客の満足のいくようにカラー画像を正確に印刷することは、しばしば退屈で、問題が多く、時間がかかるが、それは、通常手作業を伴うからである。たとえば、従来の４色プロセス印刷では、通常、単一分量のインクをページ上の任意のロケーションに付着させる又はしないように設計されているプロセスを利用しているだけである。プレスから出た状態で満足のいく印刷品質のエラーの数とエラーと関連する出費を抑えるため、校正刷り（ｐｒｏｏｆｓ）が通常用いられる。
【０００３】
４色プロセス印刷には、プレスのオペレータと顧客が印刷機を仕上げて制作印刷業務を実行する際に指針として利用される信頼性のあるカラー校正刷り（プルーフ）が必要である。たとえば、校正刷りは、便利であり、また、安価に、制作印刷業務で用いられる予定の印刷色の各々に対して１セット分の値となり、また、プレスオペレータと顧客の双方にとって容易に変更可能で、また、可視画像となる。４色の各々に対してフイルム１枚が、プレートのメーカーが、適切なインクで覆われた印刷機のドラム上にラッピングされている印刷プレートを薄くするために必要であり、次に、ブランケットからのオフセットが印刷プロセス中に紙シート上でひっくり返される。コンピュータツープレート（ＣＴＰ）技術によって、プレート作成プロセスにおけるフイルムの必要性を解消することが可能である。不運にも、校正刷りは、固有の色調若しくは階調（ｔｏｎｅ）とプレスシートとは異なる色差を含んでおり、また、校正刷りシステムの色再現性特徴がプレスのそれとの一致性をどのように向上させるかを評価するのに時間がかかる。
【０００４】
Ｗｅｂ  Ｏｆｆｓｅｔ  Ｐｕｂｌｉｃａｔｉｏｎ（“ＳＷＯＰ”）の仕様は、出版印刷業界にとって標準の正式なセットとなり、また、印刷業界の残余にとっては既成事実の標準となっている。とりわけ、ＳＷＯＰは、Ｃ、Ｍ、Ｙ及びＫの校正刷り用顔料と印刷用インク（一緒にして「顔料」とする）に対してソリッドに印刷するエリアで光吸収の密度と程度を規定しており、また、５０％網かけ印刷するエリアで現れるべき色調若しくは階調見かけ重量（ｔｏｎａｌ  ａｐｐｅａｒａｎｃｅ  ｗｅｉｇｈｔ）を規定している。この色調見かけ重量は、印刷デバイスの再現性特徴によって影響されるだけではなく、印刷されたソリッドエリアの濃度値によっても影響される。この濃度値は、一般的には、インク膜厚を変更することによって変化する。
５０％網かけエリアに関するＳＷＯＰ規定は、入力されたフイルム印刷ドットエリアと見かけドットエリア間のドットエリアの差を印刷されたシート上で測定した値を表すドットゲインに関して述べられたものである。この計算値には、ドットサイズの物理的変化と印刷されたドットの見かけのサイズを増加させる光学的効果との双方を含んでいる。たとえば、高ドットゲイン値はより高い階調見かけ重量を示すようになっており、低いドットゲイン値はより低い階調見かけ重量を表すようになっている。しかしながら、ドットゲインとは、特定のソリッド密度に対するスケールとして表された値であるため、ドットゲインは、常に、５０％網かけエリアに近接してソリッドエリアを最初に測定し、次にその網かけエリアを測定することによって測定される。たとえば、７２％という見かけドットエリア値を有する５０％ドットエリアは、２２％のドットゲインを有すると言われる。
【０００５】
不運にも、ドットゲインは、多くのアプリケーションで、必ずしも、信頼性のある測定値となるわけではない。たとえば、５０％ドットエリアに対する２２％のドットゲインの測定値は、実際には、測定されたソリッド密度と比較して様々な網かけ面密度値（ｓｃｒｅｅｎｅｄ  ａｒｅａ  ｄｅｎｓｉｔｙ）を有している。たとえば、１．５０、１．３０及び１．１０というソリッド密度領域はすべて、実際には、それぞれ０．５２、０．５０及び０．４７という網かけ面密度に対して同じ２２％というドットゲインを生じる。これらのドットゲイン測定値はマレーデービス（Ｍｕｒｒａｙ−Ｄａｕｉｅｓ）式を用いる方法を含み様々な方法によってソリッド密度測定値から得られる。したがって、不運にも、５０％網かけエリアに対するソリッド密度が互いに異なるソリッド密度を有する場合に、２つ以上のドットゲイン値の内のどれが最高又は最低の階調見かけ重量であるか判別することは容易ではない。
【０００６】
ドットゲイン測定データはまた、デバイス再現性特徴同士間の差を数学的に計算する方法としては不足であるが、それは、双方のプロセスが所与の測定値に対して類似のソリッド密度を有する可能性はきわめて低いからである。次いで、ドットゲインは測定された絶対測定値となるものではないため、色チャネル同士間での相互作用を考慮することなく、個別の色チャネルに対して実行される正確な変換係数（１次元変換係数）を計算する際に用いても良好な基礎とはならない。
【０００７】
最新のプレス動作では、適切なソリッド密度要件と適正露光時の規定の５０％でのドットゲイン値を備えたＳＷＯＰ認定の校正刷りシステムを用いて、１次元制御（紙などの基板上に印刷される際に顔料がオーバーラップしない）がなされる。１次元特徴の一般的なプレス動作制御は、とりわけ、紙、インク、プレート、壺溶液（ｆｏｕｎｔａｉｎ  ｓｏｌｕｔｉｏｎｓ）、画像転送シリンダブランケット、プレスの機械的な設定及び周囲温度などの要因を適切に選択して制御して用いることによって達成される。加えて、ＣＴＰ技術を用いて、Ｃ、Ｍ、Ｙ及びＫ顔料の各々の色調若しくは階調スケールをより正確に制御してもよい。たとえば、コンピュータ制御のレーザ光線照射でプレートを作成するプロセスにおいて、各プレートが作成されるに連れて、画像データが変換されて、すべてのプレート画像階調再現性が、自身が用いられる特定のプレスの必要性に正確に適合するようにしてもよい。
【０００８】
不運にも、多くの場合、これらのプレス動作を管理した後でさえも、それで得られた結果はしばしば不満足なものである。これらの不正確な結果は、とりわけ、ＳＷＯＰ仕様を必ずしも満足するとは限らないプレス上でソリッド密度と５０％でのドットゲインを正確に制御できないことによるものである。これらの不正確な結果はまた、調節して、「適切な」ソリッド密度要件と指定された５０％でのドットゲイン値を達成した後でさえ、５％や、１０％や、２５％や、７５％及び９０％などの他の網かけエリアはそれでも事前プレス校正刷り値に対応しない場合には現れる。そのうえ、正確な結果を獲得するプロセスの複雑さは、制作印刷業務の全般にわたって増すが、その理由は、プレス上で印刷された主題、特に顧客が指定した重要な色は、制作印刷業務毎に変化する。各制作印刷業務を受容するには、顧客が、プレス上で印刷されたこれらの重要な色が事前プレス校正刷り値に対応しているかどうかに関する主観的な評価−どのような測定可能な又は客観的な評価ではなく−を下す。
【０００９】
さらに、これには限られないが、紙／基本基板、インク、プレート、壺溶液、画像転送シリンダブランケット、プレスの機械的設定値、周囲の湿度／温度条件による変化を含むプレス印刷条件の印刷特徴の多くの変動は、バッチによっても又は日によっても変化し得るものである。これらの変動は、通常は、各制作印刷業務中に印刷デバイスの特徴に影響を与える。不運にも、これらバッチ毎の又は日々の変化という原因を突き止めて、制作印刷業務を実行する前に正すことは慣行とはなっていない。これらの変化に対応する従来の方式は、インク膜圧を調整することであるが、これは通常、１つのエリアを他のエリアの犠牲において対応する方式である。したがって、印刷物のバイヤーは、通常は品質を犠牲にすることを余儀なくさせられる。顧客の必要性を満足させるためにプレスオペレータの主観的な階調整を含む従来のプレスチェック手順もまた、調整を実行する前に判定を下すプロセスの支援となる客観的なフィードバックはなんら与えない。
【００１０】
加えて、従来の準備手順は、しばしばやっかいであり、また、時間とリソースを無駄にする。たとえば、これらの手順には、通常は、手順がその制作作業に対して必要とされる設定値を達成するまでは、評価目的でランダムに選択されたプレスシート毎に繰り返し実行されるタスクが含まれる。これらのタスクには、通常、特定の基準ポイントに対してもインク壺（ｉｎｋ  ｆｏｕｎｔａｉｎ）ゾーン制御機器に対してもなんら定義された空間的関係を持つことなく配布された色サンプルの使用や、手持ち式デバイスによる測定や、評価されているプレスシート上での、色サンプルに近い密度読みとり値の直接的な注記などがある。これらのタスクにはまた、通常は印刷機のオペレータが実行する、目標とするソリッド密度目標ポイントと変化許容値の略式の選択が含まれる。次に、通常、なんらかの調整が必要であるか、また、必要であればその程度必要であるか決定される。
【００１１】
通常、最新の最良結果をもたらした密度を、選択目標として用いられる。加えて、印刷機に対する調整が印刷機コンソールのところからの遠隔制御で実行されている場合、プレスオペレータは、プレスシートをインク壺ゾーン制御機器の配列を表す印刷機コンソール上のスケールに合わせ、また、視覚によって、色サンプル位置をインク壺ゾーン制御機器位置に変換する。次に、オペレータは、自分自身の主観的な経験によって、これらの注記をインク制御設定値に変換して、コンソールの遠隔制御装置上でコマンドを実行する（たとえば、ボタンを押して、コンソールのディスプレイを観察する）ことによって調整をする。一方、プレスに対する調整が、メカニズムを手動で操作することによって直接にインク壺に対して実行されている場合、プレスオペレータは、注記の付いたプレスシートを各印刷ユニットの各インク壺に近傍にまで搬送し、プレスシートをインク壺ゾーン制御機器に合わせ、視覚で色サンプル位置をインク壺ゾーン制御機器位置に変換し、同じようにこれらの注記をインク制御設定値に変換して、メカニズムに力を加えて（たとえば、ねじを回して）調整する。不運にも、プレス準備フェーズ中に目標のソリッド密度目標ポイントを達成するためのこれらの努力は、通常は、本プロセスでは棄却され、その代わりに、プレスチェックフェーズで、単に、シート全体にわたって選択されたエリア中でのインク膜圧を調節することによって印刷されたシートの色が校正刷り上の色のように見えるようにする。このプロセスは、やっかいでもあり時間と材料を無駄にするものでもある。
【００１２】
米国特許第４，８８１，１８１号と第４，９４７，７４６号に記載されているようなものを含めて準備手順を実行する方法が最近いくつか開発されている。不運にも、これらの方法は、一般的には、特定の印刷プロセス及びプレスモデル並びにこれら特定の印刷機やプレスモデル用に用いられる特定のカラーバーに関連する方法を用いてオペレータが詳細にセットアップする必要がある。これらのシステムもまた、一般的には、インク壺ゾーン制御機器の量と、これらのインク壺ゾーン制御機器の各中心点の位置に対するエントリが必要であるが、これは４０インチプレスの場合約３０エントリとなる。これらのシステムもまた、一般的には、色測定サンプル各々の位置に対してエントリが必要であるが、これは一色に対して約３０エントリ、４色４０インチプレス上での１２０エントリである。加えて、これらの方法では、印刷機の中心などの正確な基準ポイントに対する色サンプルの距離測定値が必要である。その結果、これらの方法では、インク壺ゾーン制御機器の調整に伴って価値あるリソースが消費される。このような方法は、非常に多くの時間を必要とし、また、これらのセットアップ手順に起因するエラーを引き起こしやすい。
【発明の開示】
【発明が解決しようとする課題】
【００１３】
以上に鑑み、印刷を調整するシステム途方法に対する必要性が発生したことが理解されよう。本発明の教示にしたがって、従来の印刷システムの欠点と問題点をかなり減少または解消するシステムと方法を提供する
【課題を解決するための手段】
【００１４】
本発明の１態様は、意図された密度値を表す校正刷り（プルーフィング）デバイスによって生成された複数のソリッド密度と網かけ密度の値を提供するステップを含む印刷調整方法である。本方法はまた、プレス出力デバイスによって生成された複数のソリッド密度と網かけ密度の値を提供するステップを含む。本方法はまた、このプレス出力デバイスによって生成されたこの複数の密度値の内の選択された値とこの校正刷りデバイスによって生成されたこの複数の密度値の内の選択された値とに反応して、プレス出力デバイス上で、意図された密度値にほぼ対応する複数の調整済み密度値を印刷するために用いられる必要とされるパーセントドット値を計算するステップを含む。ある特定の実施形態では、このプレス出力デバイスによって生成されたこの複数のソリッド密度値は、第１の軸に沿ってその密度がほぼ線形に変化するが、この第１の軸は、プレス出力デバイスの出力が発生する方向とほぼ直角である。
【００１５】
また、ある特定の実施形態では、この計算ステップはまた、このプレス出力デバイスから生成されたこの複数のソリッド密度値からソリッド密度目標ポイントにほぼ対応する値を選択するステップと、この選択された値の統計的表示を提供するステップと、ソリッド密度目標ポイントにほぼ対応するこの選択値に対して回帰分析（ｒｅｇｒｅｓｓｉｏｎ  ａｎａｌｙｓｉｓ）を実行するステップと、ソリッド密度目標ポイントにほぼ対応するこの選択値にほぼ対応するこのプレス出力デバイスによって生成されたこの複数のソリッド密度値の内のいくつかを用いるステップを含む。この計算ステップはまた、この回帰分析とこの校正刷りデバイスによって生成されたこの密度の内の少なくとも１つに反応して、このプレス出力デバイスによって生成されたこの密度値の内の少なくとも１つに対して第１の調整値を適用するステップを含む。この計算ステップはまた、この第１の調整値に反応して補間法を用いて、必要とされるパーセントドット値を提供するステップを含む。
【００１６】
本発明の別の態様は、印刷調整データフォームであり、このデータフォームは、プレス出力デバイスによって生成され、また、ある軸にほぼ沿った位置に対応する複数のソリッド色制御領域と、このプレス出力デバイスによって生成された複数の網かけ色制御領域とを含んでいる。この複数のソリッド色制御領域の内の少なくとも２つの領域に対する密度値は、この軸に沿った所定の値を用いて意図的に変化される。ある特定の実施形態では、この密度値は、この軸にほぼ線形に沿って変化される。別の実施形態では、この密度値は、インク膜圧をこの軸に沿って調節することによって変化される。
【００１７】
本発明の別の態様は、印刷調整システムであり、このシステムは、密度値を有する画像を印刷するように動作可能なプレス出力デバイスと、このプレス出力デバイスに入力データを提供するように動作可能なコンピュータを含む。このコンピュータはさらに、意図された密度値を表す校正刷りデバイスによって生成された複数のソリッド密度と網かけ密度の値を読みとり、また、このプレス出力デバイスによって生成された複数のソリッド密度と網かけ密度の値を読みとるように動作可能である。このコンピュータはまた、さらに、このプレス出力デバイスによって生成されたこの複数の密度値の内から選択された値とこの校正刷りデバイスによって生成されたこの複数の密度値の内から選択された値とに反応して、この意図された密度値にほぼ対応する複数の調整された密度値をこのプレス出力デバイス上で印刷するために用いられる必要なパーセントドット値を計算するように動作可能である。
【００１８】
本発明の別の態様は、印刷調整アプリケーションであり、このアプリケーションは、コンピュータ読みとり可能媒体とこのコンピュータ読みとり可能媒体上に常駐するソフトウエアを含む。このソフトウエアは、プレス出力デバイスによって生成された画像データの第１の複数のソリッド色領域の密度値とこのプレス出力デバイスによって生成された画像データの複数の網かけ色領域の密度値との間の数学的関係を決定するように動作可能である。このプレス出力デバイスによって生成された生成された画像データのこの第１の複数のソリッド色領域は、所定の値を用いて意図的に変化される。このソフトウエアはさらに、この数学的関係に応じて、このプレス出力デバイスによって生成された画像データのこの複数の網かけ色領域の密度値と、校正刷りデバイスによって生成された画像データの複数のソリッド色領域に応じて選択されたプレス出力デバイスによって生成された画像データの第２の複数のソリッド色領域の内のいくつかの領域の密度値とを調整する。この校正刷りデバイスによって生成された画像データのこの複数のソリッド色領域は、意図された密度値を表す。このソフトウエアはさらに、第１の値と第２の値の積に比例した量に応じてこのプレス出力デバイスによって生成された画像データのこの複数の網かけ色領域の内の少なくとも１つの領域を調整することによって補間するように動作可能である。この第１の値は、このプレス出力デバイスによって生成された画像データのこの複数の網かけ色領域の内の２つの領域のパーセントドット値同士間の差であり、この第２の値は、この意図された密度値の内の少なくとも１つの値とこのプレス出力デバイスによって生成された画像データのこの複数の網かけ色領域の内のこの２つの領域の内の一方の領域との差の、このプレス出力デバイスによって生成された画像データのこの複数の網かけ色領域の内のこの２つの領域同士間のこの差に対する比率である。このソフトウエアは、さらに、この補間動作に反応して必要なパーセントドット値を決定するように動作可能であるが、この必要とされるパーセントドット値は、このプレス出力デバイスによって生成されたこの画像データのこの領域の内の少なくとも１つの領域の色密度値を、この校正刷りデバイスによって生成された対応する領域のこの意図された密度値に近づけるように動作可能である。
【００１９】
本発明の別の態様は、印刷された画像であり、この画像は基板と画像データを含む。この画像データは、この基板上に常駐するプレス出力デバイスによって生成され、また、意図された密度値を表す第１の複数のソリッド密度と網かけ密度の値の内から選択された値と、第２の複数のソリッド密度と網かけ密度の値から選択された値とに反応して自動的に計算された必要とされるパーセントドット値に反応して生成される。このプレス出力デバイスによって生成されたこの必要とされるパーセントドット値は、この意図された密度値にほぼ対応する調整された密度値となる。この第１の複数のソリッド密度と網かけ密度の値は、校正刷りデバイスによって生成され、この第２複数のソリッド密度と網かけ密度の値は、このプレス出力デバイスによって生成される。
【００２０】
本発明の別の態様は、プレス出力デバイスによって生成された第１の複数のソリッド密度と網掛け密度の値を提供するステップと、第２の複数のソリッド密度と網掛け密度の値を提供するステップとを含む印刷調整方法である。本方法はまた、この第１の複数のソリッド密度と網掛け密度の値の少なくともサブセットの統計的表示と、それに対応する、この第２のソリッド密度と網掛け密度の値の少なくともサブセットの表示との間の密度分散データを自動的に計算するステップを含むが、この密度分散データは、これを用いると色調若しくは階調再現調整値を自動的に計算して、印刷物制作作業を実行する以前にこのプレス出力デバイス上でデータを生成するように動作可能である。
【００２１】
本発明の別の態様は、プレスプロフィールデータをプレス出力デバイスから提供するステップと校正刷りデバイスプロフィールデータを提供するステップを含む印刷調整方法である。本方法はまた、所望しだいで、プレスプロフィールデータと校正刷りデバイスプロフィールデータから成るグループの内の少なくとも一方に反応してプレス出力デバイス上で印刷される予定のパーセントデータ値に対応する密度調整値を計算するステップを含むが、この調整値は、プレス出力デバイスによって生成された画像データに対する影響を減少させるように動作可能であり、また、この効果は、印刷機と周辺の印刷条件印刷特徴の内の少なくとも一方の変動によって引き起こされる。
【００２２】
本発明の別の態様は、複数のインク壺ゾーン制御機器を有するプレス出力デバイスによって生成された複数のセグメントを提供するステップを含む方法であり、このセグメントは各々が幅と、各々がこの幅の端数として測定可能なオフセット値を有する複数のセグメントソリッド密度色値と、セグメント中心を有する。本方法はまた、このセグメントの少なくとも１部を、このプレス出力デバイスによって印刷される予定の指定されたコピー内容に対して、網羅されたセグメントとして識別するステップを含むが、この網羅されたセグメントは、第１の端セグメントと第２の端セグメントを有する。本方法はまた、この複数のセグメントソリッド密度色値の少なくとも１部に対する色密度変化を計算するステップを含む。本方法はまた、このオフセット値とこの色密度変化の少なくとも１部とに反応して、このインク壺ゾーン制御機器の内の少なくとも１つの制御機器に対する調整データを計算するステップを含むが、この調整データは、このインク壺ゾーン制御機器によって送出可能なインクを調整するために用いられるように動作可能である。
【００２３】
本発明は、いくつかの重要な利点を提供する。本発明の様々な実施形態は、これらの利点を全く有しないか、１部を有するか、すべてを有するかである。たとえば、本発明は、ソリッドインク密度がプレスのシリンダ上で調節されるに連れて階調網掛けエリアを再現する際におけるプレスの特徴を表し、また、これをより制御するデータを収集する方法を提供する。この密度は、低レベル、中間レベル及び高レベルのソリッド密度目標ポイントの仕様をほぼ線形であるこれら目標ポイント同士間での遷移と適合させるように調節される。このような利点は、プレス条件の全色調若しくは階調スケール（１〜１００％）をかなり代表する特徴を提供し、また、コンピュータツープレート（ＣＴＰ）又は直接撮像プレス再現フェーズで適用される要因を提供することを可能とする。言い換えれば、印刷再現業務の外観（印刷出力データ又は印刷シート）を校正刷りデバイスの出力と合わせる際の精度が、ディジタル式であろうとそれ以外であろうと、改善されるということである。
【００２４】
本発明はまた、カラーバーセグメントを用いて、色調若しくは階調再現特徴に対して階調整を施すという利点を提供するが、これは、プレスの再現チェックフェーズにおける容認可能な色認定となる。このような利点によって、階調色エリアを変更するために他の従来のシステムで一般的に必要とされていた、また、印刷画像のソリッドエリアと近ソリッドエリアを他の階調エリアが調整される際に犠牲にしてしまうインク膜圧の操作にだけ依存する必要性が解消される。
【００２５】
本発明の別の技法的利点は、本発明はまた、印刷デバイスの再現特徴に影響を与える、印刷機と周辺の印刷条件の印刷特徴の変動を補償するということである。この変動には、これには限られないが、紙／基本基板、インク、プレート、壺溶液、画像転送シリンダブランケット、プレスの機械的設定値、周囲の空気条件、周囲の湿度条件、周囲の温度条件及び化学薬品残留物が含まれるが、これらはバッチ毎にまたは日々に変化するものである。この変動には、プレートやブランケットの洗浄における化学的性質などの化学薬品残留物条件の変動には限られないが、ローラ残留物や、プレスコンポーネントの摩耗及び破れや、様々な周囲空気条件がある。このような利点によって、印刷デバイスの再現性特徴が測定される際の精度、次いで、プレス出力データの外観を校正刷りに合わせる際の精度が改善される。ある特定の実施形態では、この変動は、中間プレスプロフィール調整値を用いて補償してもよい。
【００２６】
本発明のさらに別の技法的利点は、本発明はまた、より正確な階調のまたは網掛けの色密度値を計算するために用いられる回帰方程式を利用する点である。このような利点もまた、プレス出力データの外観を校正刷りに合わせる際の精度を改善する。本発明のさらに別の技法的利点は、本発明はまた、所望の目標ポイントと比較される色測定値を提供するために用いられるカラーバーセグメントを提供するが、密度変動が計算され、これは記録され報告される。たとえば、本発明を利用するために、密度の読みとり値を手で注記する必要はない。そのうえ、本発明の態様を用いると、各インク壺ゾーン制御機器に具体的に関連した正確な密度変化が提供され、同時に、シートの位置合わせをしたり、また、色サンプル位置をインク壺ゾーン制御機器位置に視覚で変換したりするという従来の方法での必要性もなくなる。本方法はまた、従来のシステムでは必要とされる特定の印刷機に関連する必須条件としての距離測定の回数が減少するという利点を提供する。これらの利点は、時間や材料などのリソースを節約し、また、制作作業で印刷される製品の精度を改善する。このような利点もまた、本方法の、なんらかの特定の印刷機に対するまたはプレス出力デバイスのモデルに対する依存性を軽減する。これらの利点はまた、オペレータに、どのキーが調整を必要としているか、また、その場合、必要とされる調整の程度はどれほどかに関する価値ある情報を提供し、また、インク膜圧の制御の精度を向上させてくれるが、これは、各色サンプルで測定されるソリッドインク密度を実質的に制御するものである。前述の利点によってまた、プレス出力データ用のソリッド密度と階調密度を校正刷りにより正確に合わせることが可能となり、また、次いで、校正刷り出力により正確に合う外観を持つ制作業務を印刷するために用いられる調整値をより正確に計算することが可能となる。
【００２７】
他の技法的利点は、以下の図面、説明及びクレームを読めば当業者には容易に確認され得るであろう。
【発明を実施するための最良の形態】
【００２８】
色密度測定値を用いて、印刷調整データフォーム（「ＰＡＤＦ」）の校正刷りに対して印刷機を調整することが可能となる。本発明は、オフセットリソグラフィ、手紙プレス、グラビヤ、フレキソ印刷、スクリーン印刷などのプロセスにおいてプレスを用いて、また、乾燥若しくは無水性リソグラフィ、単一流体水性インク及びプレートレスディジタルオフセットなど開発中の様々なリソグラフィプロセスによって、また、電子写真印刷プロセスや、熱式やインクジェット式の印刷プロセスで印刷物を提供することが可能な図１５に示すような様々な印刷デバイスまたはプレス出力デバイスを用いることを考察している本発明の様々な態様を、これらのプレス出力デバイスの１部又はすべてと一緒に用いる。
【００２９】
どの測定サンプルでもその色密度は、通常、４つの測定チャネルＣ、Ｍ、Ｙ及びＶを用いて提供される。
Ｃ、Ｍ、Ｙ及びＶは、次のものを表す：
Ｃ＝シアンインク色で引き立た（コンプリメント）される色スペクトルの赤波長領域の記述；
Ｍ＝マジェンタインク色で引き立たされる色スペクトルの緑波長領域の記述；
Ｙ＝黄色インク色で引き立たされる色スペクトルの青波長領域の記述；
Ｖ＝黒インク色を記述するために主として用いられる無色（たとえば、灰色）の値に変換された色の記述。
【００３０】
ソリッド密度とは、分光測光器、デンシトメータ、スキャナまたは他の色密度測定デバイスを用いて画像のソリッドエリアまたは非網かけエリアから取られたあるセットを成すＣＭＹＶ密度測定値のことである。Ｃ、Ｍ及びＹの内で、主要密度とは、Ｃ、Ｍ及びYの内で最も高い色サンプルの密度測定値のことであり、「純粋な」色ＣＭ及びＹを含む。Vチャネルの場合、主要密度とは、Vチャネルから単独で取られた密度測定値のことである。
【００３１】
略語Ｃ、Ｍ、Ｙ及びＫは、インク、プレート、膜及びファイルチャネルなどのもののための印刷で用いられる４つの従来のプロセス色を識別するために用いられる。これらの４色は、それぞれシアン、マジェンタ、黄色及び黒であり、Ｃ、Ｍ、Ｙ及びKに対する測定値は、上述したようにＣ、ＭＹ及びＶの測定値から取られる。「インク」という用語を本明細書中で用いるが、本発明は、これに限られないがトナーや染料などの印刷プロセスでの顔料を送る他の方法を考察する。
【００３２】
ここで図１を参照すると、本発明の教示による印刷調整方法のフローチャートの例が図示されている。本方法は、一般に、プレスプロフィールデータから測定されたソリッド密度を校正刷りデバイスプロフィールデータから測定されたソリッド密度と一致させ、次に、計算を実行して、印刷物制作業務で用いられる予定の調整値を提供する。この計算には、校正刷りデバイスによって生成された階調密度（ｔｏｎａｌ  ｄｅｎｓｉｔｉｅｓ）と次いで比較されるプレスプロフィールデータのための階調密度又は網かけ密度の計算が含まれる。この比較によって、４色のＣ、Ｍ、Ｙ及びＫの各々に対して用いられる１次元変換データを正確に計算して、ソリッド密度の測定値に応じて階調を調整するのが容易となる。これらソリッド密度の調整は、たとえば、インク膜圧を調整することによって実行される。本方法はまた、様々な調整を、印刷準備手順、プレスチェック手順、さらに制作作業中で所望に応じて実行するようにする。これらの調整によって、制作印刷業務を、維持されるべき最初の意図した密度値を用いて制作される際の外観と忠実度に対してより品質の高い制御を実行することを可能とする客観的なデータが提供される。
【００３３】
実例として、本発明の特定の実施形態を検討する際に参照される９のタイプのソリッド密度を説明する。これら目標ポイントはすべてが、技術の変化、修正又は改善に対応するために調整される。
１．表Ｉによる、グラフィックコミュニケーションアソシエーション、コピーライト２０００、ＧＲＡＣｏＬ  ４．０  ２０００によって出版された市販オフセットリソグラフィ残業の一般的慣行を目標としたソリッド主要密度目標ポイント。
【表１】
2004538174.tif 000003
次の密度は、「−Ｐａｐｅｒ」又は「−Ｐ」と表現されるが、これは紙／基板の光学密度値から色サンプルの密度値を減算した値のことである。
２．校正刷りデバイスプロフィールのソリッド主要密度−Ｐとは、上記の「グレード３と５コーティング済み」目標ポイントに近い現時点で入手可能な一般的に容認されている校正刷りシステムのソリッド主要密度のこと、すなわち、Ｃ＝１．３０、Ｍ＝１．４０、Ｙ＝１．００及びＫ＝１．６０。選択された値は、以下に定めるように「校正刷りグループ＃２」として校正刷りにおけるデータから測定されて、以下に定めるように校正刷りデバイスプロフィールに含まれる。
３．ＰＡＤＦ低レベルソリッド主要密度−Ｐ目標ポイントとは、目標とされた密度の第１の集合のことであるが、これは、制作業務にとっては「理想より低い」と考えられる。ある特定の実施形態では、ＰＡＤＦ低レベルソリッド主要密度−Ｐ目標ポイントは、Ｃ、Ｍ、Ｙ及びＫのそれが、それぞれ１．０、１．１、０．６５及び１．３５となっている。
４．ＰＡＤＦ中間レベルソリッド主要密度−Ｐ目標ポイントとは、制作業務にとって「理想的」と考えられる目標密度の第２の集合のことである。ある特定の実施形態では、ＰＡＤＦ中間レベルソリッド主要密度−Ｐ目標ポイントはＣ、Ｍ、Ｙ及びＫの値がそれぞれ、１．２５、１．３５、０．９０及び１．６０である。
５．ＰＡＤＦ高レベルソリッド主要密度−Ｐ目標ポイントとは、制作業務にとって「理想的以上」と考えられる目標密度の第３の集合のことである。ある特定の実施形態では、ＰＡＤＦ高レベルソリッド主要密度−Ｐ目標ポイントはＣ、Ｍ、Ｙ及びＫの値がそれぞれ、１．５０、１．６０、１．１５及び１．８５である。
６．プレスプロフィールのソリッド主要密度−Ｐ目標ポイントとは、目標とされた密度の別の集合のことである。ある特定の実施形態では、これらの密度は、次に示す基板、すなわち、グレード１と２のプレミア光沢／無光沢コーティング済み、グレード１と２のプレミア半光沢コーティング済み、グレード３と５コーティング済み、及びＳｕｐｅｒｃａｌＳＣＡの利用に基づいた業界の現行の慣行のほぼ平均値を反映するものであり、Ｃ＝１．２５、Ｍ＝１．３５、Ｙ＝．９０及びＫ＝１．６０という値となる。他の基板に対応するより低いソリッド密度目標ポイントに対処するために、他のより低いソリッド密度目標ポイントを採用してもよいが、その場合、これは、本発明の教示にしたがって用いられることになる。しかしながら、現時点では、校正刷りシステムは、一般的には、これらの低い密度目標値に対処するように利用可能ではない。
７．プレスプロフィールの実際のソリッド主要密度−Ｐとは、ソリッドエリア又は網かけエリア（すなわち、１００％制御セットポイント）の選択された密度測定値のことである。ある特定の実施形態では、これらの値は、他の測定値の平均値又は他の統計的な表示であり、Ｃ＝１．２５＋−．０７；Ｍ＝１．３５＋−．０７；Ｙ＝．９０＋−．０７；Ｋ＝１．６０＋−．０７となる。ＰＡＤＦに対して可変のソリッド密度を提供することの恩典には、目標とされた密度に近接した実際の密度を記録することが可能であることが含まれる。これらの値は、印刷シート上のデータから、以下に定めるように「プレスグループ＃２データ」として測定され、また、以下に定めるようにプレスプロフィール中に含まれる。
８．プレスプロフィールの調整済みソリッド主要密度−Ｐとは、プレスプロフィールの実際の階調又は網かけの主要密度を調整するために用いられるソリッド密度の値のことである。この明細書では、使用される値としては、Ｃ＝１．２５＋−．１５；Ｍ＝１．３５＋−．１５；Ｙ＝．９０＋−．１５；Ｋ＝１．６０＋−．１５である。これらの値は、プレスプロフィールの実際のソリッド主要密度−Ｐを校正刷りデバイスプロフィールのソリッド主要密度−Ｐと一致させる調整を表している。ある特定の実施形態では、階調の調整は、ソリッド密度調整の範囲にプレスプロフィールから得られたプレスグループ＃１から決定された直線回帰方程式（ｌｉｎｅａｒ  ｒｅｇｒｅｓｉｏｎ  ｅｑｕａｔｉｏｎ）の勾配を乗算することによってなされる。
９．準備ソリッド主要密度−Ｐ目標ポイントとは、項目１に引用されている目標ポイントに近い現時点で入手可能な一般的に容認されている校正刷りシステムのソリッド主要密度から採用された値のことである。選択された値は、以下に定める改善されたプレス準備手順におけるデータから測定され、インク壺ゾーン制御機器を調整すべきであるか、また、どの程度まですべきであるかについての指針となる。これらの目標ポイントはまた、制作作業又はプレス中に値を監視するために用いられる。たとえば、準備手順中に、これらの目標ポイントを用いて、ソリッド主要密度を校正刷りデバイスプロフィールに対して調整する。次に、プレスチェック中と、制作作業の様々な時点において、測定値をとってこれらの目標ポイントと比較して、変動がないかチェックして、判定を支援するように客観的な値を提供する。
【００３４】
網かけエリアに関連して言えば、従来の業界の指針は不運にも、見かけのドットサイズ又はドットゲインだけのことであったが、これらは、なんらかの階調密度のことではなく、ソリッド測定値に対する値である。本発明は、前述のソリッド密度値に加えて、プレスプロフィールの調整済み階調主要密度−Ｐを提供する目的で使用されるプレスプロフィールの実際の階調主要密度−Ｐを測定して利用するという利点を提供する。これらの値のために、印刷シートのための密度のすべてをより正確に校正刷りに合わせやすくなる。
【００３５】
本方法は、ステップ１０２から始まるが、このステップで、最初に意図した色密度値を表す校正刷りデバイスプロフィールを生成する。ステップ１０４では、印刷機用のプレスプロフィールが、密度の意図的な変化によって生成される。校正刷りデバイスプロフィールとプレスプロフィールを生成する方法の例を、それぞれ図３と４を参照してさらに詳述する。ステップ１０４から、本方法はステップ１０６に進み、ここで、プレスレイアウトが準備される。ステップ１０６で、プレスカラーバーがプレスレイアウトに追加される。このプレスカラーバーには複数の色サンプルが含まれるが、この内の１部を用いて、測定値と調整値として提供し、他のものは可視的な助けとして間接的に用いられる。印刷カラーバーもまた、追加の識別用テキストと位置マーキング用テキストを含み、その内の１部が制作のプレス準備フェーズで用いられる。本発明にしたがって用いられるプレスカラーバーの１例を図６Ａと６Ｂを参照して詳述する。
【００３６】
次に、ステップ１０８で、１次元（「１Ｄ」）変換データが、カラー密度偏差の比較に反応して又は校正刷りデバイスプロフィールとプレスプロフィールとの間の差に反応して生成される。次に、この１Ｄ変換データは、データに付加されて制作印刷業務を実行し、これによって、校正刷り内の密度により緊密に対応する、又は、この校正刷りの外観により正確に対応する外観を付与するプレス出力データ内の密度を提供する。１Ｄ変換データは、ストア及び／又は用いられて、ＣＴＰプレートを作成するために用いられるコンピュータファイル中のデータを調整する。この記述は分かりやすいようにＣＴＰプレート又はＣＴＰ技術のことを言っているとはいえ、本発明もまた、直接撮像（たとえば、直接コンピュータツーシリンダマスター撮像）などの制作業務を印刷するために用いられるＣＴＰプレート以外の方法や、中間的フイルムを用いる方法や、利用可能となれば他の方法などを用いることを考察している。
【００３７】
１Ｄ変換データは、いったん決定されると、この１Ｄ変換データが付加されなかった場合より緊密にこの制作業務（ｐｒｏｄｕｃｔｉｏｎ  ｒｕｎ）画像の校正刷りに近似する印刷機の制作業務画像に付加される。たとえば、ＣＭＹＫの各々に対する網かけドット値または階調パーセントドット値（たとえば、９０％、７５％、５０％、２５％、１０％、５％、及び１００％と０．０％との間の他のパーセンテージドット値）の各々を、この１D変換データを用いて調整する。この調整によって、印刷出力データ内の色密度値が、校正刷りの色密度値の外観に近似的に対応する外観を提供するような調整済みのパーセンテージドット値が提供される。言い換えれば、これらの調整されたパーセントドット値で印刷された制作画像は、制作画像の校正刷りの最初に意図された色密度により緊密に近似する色密度値を有することになる。このプロセスは、従来の印刷システムより正確な印刷を提供し、また、このプロセスは、実質的に基板の影響がなく、また、いくつかの校正刷りデバイスを用いることもある。図１５に示す校正刷りデバイスには、これに限られないが、インクジェット式や熱式印刷機などの様々な撮像デバイス、ＤｕｐｏｉｎｔのＷａｔｅｒｐｒｏｏｆ（登録商標）、ＦｕｊｉのＣｏｌｏｒＡｒｔまたはＫｏｄａｋのＡｐｐｒｏｖａｌなどが含まれる。これらのデバイスは、様々な方法を用いて、基板上に、中間膜や直接ディジタル出力を含む校正刷りを発生させる。制作印刷業務に適用される１Ｄ変換データの１例を以下に示す。
【表２】
2004538174.tif 000004
【００３８】
たとえば、シアン９０％制御セットポイントは、下方に６．５９パーセントだけ調整して、８３．４１％という調整済みの値となり、その結果、シアン９０％制御セットポイントがより低い（調整された）色密度となる。これらの調整は、たとえば、調整値すなわち調整済みの値を、ＣＴＰプレート又はフイルムのネガやポジを作成するために用いられる多くの公知のコンピュータプログラムの内の１つに提供することによって実行される。これらの調整値は、意図された密度値にほぼ応する調整済みの密度値を印刷機上で印刷するために用いられるデータに付加される。たとえば、これらの調整値は、調整ファイル中のセーブされ、既存のデータファイルに付加され、制作印刷業務の実行とリアルタイム（ｏｎ−ｔｈｅ−ｆｌｙ）で付加されるか、又はこれらの組み合わせが実行される。図９〜１４に、１Ｄ変換データを提供するプロセスで用いられる方法を示す。
【００３９】
図２に、本発明の教示にしたがって用いられるＰＡＤＦの例を示す。このＰＡＤＦを用いて、印刷機及び／又は校正刷りデバイスの出力をより正確に定義するために用いられる情報のプロフィールを提供する。たとえば、印刷機によって印刷されるＰＡＤＦの色密度測定データ（「プレスプロフィール」）を、校正刷りデバイスによって出力されたＰＡＤＦから取られた色密度測定値（「校正刷りプルーティングデバイスプロフィール」）と比較する。次に、この比較に反応して調整を実行し、これで、プレス出力が、校正刷りデバイスの出力により緊密に合うようにする。
【００４０】
ＰＡＤＦは複数の色制御エリアを含むが、このエリアは各々が、ＣＭＹＫの各々に対して、ソリッド色密度の領域（すなわち、１００パーセントドット又はソリッド領域）及び１つ以上の網かけ又は階調の領域（たとえば、５、１０、２５、５０、７５、９０パーセントドット）を含む。ある特定の実施形態では、ＰＡＤＦは、各々が制御片２０１〜２２１という形態で与えられる複数の色制御エリアを含む。制御片２０１〜２２１は各々が、２９の制御セットポイント２３０〜２５８を含み、これは、０％ドット制御セットポイント（すなわち、基板にはなにもインクは付着されない）２３０と、ソリッド（すなわち、１００％ドット）Ｃ、Ｍ、Ｙ及びＫを表す制御セットポイント２３１、２３８、２４５及び２５２とを含む。加えて、各制御片２０１〜２２１もまた、ＣＭＹＫの各々に対して５、１０、２５、５０、７５及び９０パーセントのドット制御セットポイントを含む。もちろん、他の所定のパーセントドット値が必要に応じて確立される。ある特定の実施形態では、すると、印刷された制御セットポイント２３０〜２５８の各々は、そのさしわたしが少なくとも３ｍｍとなり、これで、密度値が正確に測定されるようにする。これらの制御セットポイントのこのような形状とサイズは、アプリケーションによって異なり、また、そのサイズは、技術の向上に伴って減少する。１例として、それらは方形や円などの規則的な形状であったり不規則な形状であったりする。
【００４１】
２９サンプルの制御片２０１〜２２１は各々が、制御セットポイント２３０〜２５８を含むが、これは、ＣＭＹＫの以下の所定のパーセントドット値を表す。
【表３】
2004538174.tif 000005
【００４２】
一般に、ＰＡＤＦは、印刷機の印刷特徴と周辺印刷条件の印刷特徴を定量化するために用いられ、また、利用される予定のもっとも可能性の高いと予測される制作用の紙と合う白色度／輝度レベルを持つコーティングされた紙に対するオフセット印刷プロセスの際に用いられる。ＰＡＤＦは、ＰＡＤＦの第１の側２６０上での低い値からＰＡＤＦの第の側２６１への高い値に徐々に増加するように設定されているインク膜圧で印刷機上で走行する；したがって、ＰＡＤＦが印刷されると、この用紙の第１の側２６０に向かう２９サンプル制御片の色密度測定は、第２の側２６１でのそれを下回る傾向がある。言い換えれば、色密度測定は、第１の側２６０から第２の側２６１に向かって所定の量まで意図的に増加される。ある特定の実施形態では、これらの測定値は、増加するインク膜圧及び／又は印刷デバイスの階調再現特徴（印刷機と周辺の印刷条件の印刷特徴を含む）の関数として変化する。ある特定の実施形態では、この色密度測定値は、第１の側２６０から第２の側２６１まで、実質的に線形な遷移をすることによって増加する。たとえば、第１の側２６０と第２の側２６１間の距離が２２インチであるＰＡＤＦには、Ｃ、Ｍ、Ｙ及びＫの全４色にわたる密度変化の合計が０．５０という値が含まれる。これらの密度値には、ＰＡＤＦ低レベル、中間レベル及び高レベルのソリッド主要密度目標ポイント２７８、２８０及び２８２が含まれる。
【００４３】
ＰＡＤＦはまた制御機器ペリメータを含むが、これは、ある特定の実施形態では、ＰＡＤＦ低レベル、中間レベル及び高レベルのソリッド主要密度目標ポイント２７８、２８０及び２８２をそれぞれ表す４色ＣＭＹＫ色片２７４及び／又はテキストを含む。４色ＣＭＹＫ色片２７４は、印刷機が、図５でより詳細に説明されているように、ＰＡＤＦ低レベルソリッド主要密度目標ポイント２７８、ＰＡＤＦ中間レベルソリッド主要密度目標ポイント２８０及びＰＡＤＦ高レベルソリッド主要密度目標ポイント２８２を満足しているかどうかを決定するために用いられる。ＰＡＤＦは、多くの電子データフォーマットの内の１つとして提供され、また、校正刷りデバイス及び／又は印刷機を用いて印刷される。このようなフォーマットの１つに、ＰＡＤＦを表す４ＣＴＰ  ＣＭＹＫプレートを作成するために用いられるディジタルＥＰＳコンピュータグラフィックスファイルフォーマットがある。
【００４４】
制御セットポイント２３０〜２５８は、ある好ましい実施形態では０、５、１０、２５、５０、７５、９０及び１００パーセントドットに設定されているとはいえ、代替の制御セットポイントドット値は、必要に応じて設定される。現行の８ビット画素深みディジタル撮像は、１００％ドット（すなわち、ソリッドエリア）から０％ドット（すなわち、基板）までの合計で２５６パーセントのドットグラデーション階調（ｄｏｔ  ｇｒａｄａｔｉｏｎｓ）に対処している；したがって、８ビット画素深みディジタル撮像によって、２５６未満の潜在的な階調を制御セットポイントとして用いた場合でも、連続したパーセントドットグラデーション同士間で０．４％が許容される。ある特定の実施形態では、補間によって、２５６のパーセントドットグラデーションの各々に対して適用される調整値を計算する。これらのサンプルは、視覚によって、また、機器測定によって参照され、これによって、品質管理、統計的プロセス制御及びＩＳＯ９０００認可画必要な手順が容易化される。また、ある特定の実施形態では、ＰＡＤＦは、２９サンプルの制御片２０１〜２２１以外又はこれに加えて、２９サンプルの色片２７４を含む。このような実施形態もまた、上記のすべてのソリッドと階調の制御セットポイントに対して第１の側２６０と第２の側２６１間で変化する密度測定値を提供する。
【００４５】
図３は、校正刷りデバイスプロフィールを作成する方法の例である。校正刷りデバイスプロフィールは、ステップ３０２で校正刷り用に最初にＰＡＤＦを生成することによって作成される。このステップは、たとえば、ＣＭＹＫフイルムのネガ又はポジをＰＡＤＦグラフィックスコンピュータファイルから作成するステップを含む。ステップ３０４では、ＰＡＤＦ校正刷りは、所定の校正値（カリブレイション）で校正刷りデバイスによって出力されるが、この値には、ある好ましい実施形態では、校正刷りシステム製造業者の仕様が含まれる。この校正刷りは、ネガ又はポジから作成されたり、又は、ディジタル校正刷りとして直接に作成されたりして、変化するインクや顔料の膜圧を用いて印刷されることはない。ステップ３０６では、校正刷りデバイスによって出力されたＰＡＤＦの制御片２０１〜２２１の１部又はすべてに対する制御セットポイント２３０〜２５８各々の色密度が、校正刷りグループＮｏ．２データとして測定される。たとえば、ある特定の実施形態では、選択された数（たとえば、８）の制御片２０１〜２２２に対する制御セットポイント２３０〜２５８の各々の色密度が測定される。次に、校正刷りグループＮｏ．２データが、これらの選択された測定値の平均値などの統計的な表示として提供される。この測定値データは、校正刷りデバイスプロフィールとなる。
【００４６】
図４は、プレスプロフィールの作成する方法の例である。方法４００は、印刷用のＰＡＤＦが作成されるステップ４０２から始まる。ＰＡＤＦの全体的なディメンジョンは修正され、制御片２０１〜２２１の内の１つ以上の制御片の位置は、最大の印刷面積と調整されるべき印刷機のインク壺ゾーン制御機器の位置とこれら同士間の間隔に対応するように必要に応じてリセットされる。たとえば、ＰＡＤＦ中の制御片２０１〜２２１の内の１つ以上が横方向に置き換えられ、これで、この１つ以上の片の位置が印刷機のインク壺ゾーン制御機器の中心点位置と合うようにしている。このような置き換えは利点となるが、それは、とりわけ、そうすることによって、次いで各制御片に対するソリッドインク密度を制御するインク膜圧の制御の精度が増すからである。このような精度と制御によって、校正刷りデバイスプルフィールとプレスプロフィール間のより正確な比較が可能となり、校正刷りの外観に対するプレス出力の外観をより正確に合わせることが可能となる。
【００４７】
ステップ４０２でＰＡＤＦを作成した後、本方法はステップ４０４に進み、ここで、ＰＡＤＦ用のコンピュータツープレート（「ＣＴＰ」）を作成する。たとえば、ある特定の実施形態では、ＰＡＤＦのＣＴＰプレートを作成するには、ＰＡＤＦを表すデータを含むコンピュータファイルのコンテンツで変調されたレーザー放射エネルギーでＣＴＰプレート画像を露光する。ステップ４０６では、ステップ４０４で作成されたＣＴＰプレートを用いて印刷機でＰＡＤＦに対して作業する。印刷機での作業を実行する方法の１例を、図５を参照して詳述する。
【００４８】
ステップ４０８で、後のステップでプレスプロフィールの生成用のデータを収集する際に用いられる、印刷機で印刷されたＰＡＤＦシートを選択する。ＰＡＤＦシートを選択する１つの方法は、ステップ５１４を参照して説明するように印刷されたシートの積層物のほぼ中心から連続したＰＡＤＦシートサンプルを複数個選択するステップが含まれる。この選択される複数の連続したシートは、アプリケーションによって変化し、たとえば、２５枚であったりする。次に、これらの選択された連続シートから成るサブセット（たとえば、９枚）を指定されたシートサンプルとして選り抜く。残りのシート（この場合、１６枚）を、次に、これら選り抜かれたシートの内のどれか１枚でも破損した場合に備えてセーブしておき、これで、指定されたシートサンプルが識別される。たとえば、これらのシートサンプルは、「９枚の内のＰＡＤＦシートサンプル１」から「９枚の内のＰＡＤＦシートサンプル９」とラベル付けされて、後で、プレスプロフィールの構成の際に用いられる。
【００４９】
ステップ４０１では、印刷機グループＮｏ．１と印刷機グループＮｏ．２のデータが、印刷機上で印刷された１０枚のＰＡＤＦシートから収集される。印刷機グループＮｏ．１データと印刷機グループＮｏ．２データは、同じステップで収集されてもよいし互いに異なったステップで収集されてもよい。印刷機グループＮｏ．１データを収集する方法の１例では、印刷機グループＮｏ．１データを生成するために、「９枚の内のＰＡＤＦシートサンプル１」と指定されたＰＡＤＦシートのすべての制御片２０１〜２２１に対して制御セットポイント２３０〜２５８（０、５、１０、２５、５０、７５、９０及び１００パーセントドット値）の実際の色密度を測定して記録する。次に、残りの指定されたＰＡＤＦシートサンプルに対する選択された制御セットポイント２３０〜２５８の色密度を、測定して記録して、印刷機グループＮｏ．２データを得る。印刷機グループＮｏ．２データを収集する方法の１例を図８を参照して詳述する。
【００５０】
印刷機グループＮｏ．１データと印刷機グループＮｏ．２データもまた、他の様々な方法を用いて収集される。たとえば、任意の数の選択された連続シートに対するすべての制御片２０１〜２２１に対して、制御セットポイント２３０〜２５８のすべての色密度を測定する。次に、連続シートのすべてから各制御片２０１〜２２１について測定された色密度を平均化することによって印刷機グループＮｏ．１データを提供し、この結果、制御セットポイント２３０〜２５８の集合が２１個となる。同様に、図8を参照してさらに詳述されるように、これら連続シートのすべてからの選択された制御セットポイント２３０〜２５８の色密度が、測定されてグループＮｏ．２データとして記録される。
【００５１】
図５は、図４のステップ４０６をより詳細に表すＰＡＤＦのプレスを実行する方法の例である。ステップ５０４で、印刷機のチェックが実行される。たとえば、十分なシートを印刷して、とりわけ、不規則性が最小化され、インクと水の適切なバランスが維持されることを確実にする。ステップ５０６では、印刷機から出たＰＡＤＦシートサンプルをランダムに測定して、ある特定の実施形態では、ＰＡＤＦ低レベルソリッド主要密度−Ｐ目標ポイント２７８、ＰＡＤＦ中間レベルソリッド主要密度−Ｐ目標ポイント２８０及びＰＡＤＦ高レベルソリッド主要密度−Ｐ目標ポイント２８２を含む選択されたオリジナルの色密度値がＣＭＹＫの各々に対して満足されているかどうかを決定する。これらの測定は、たとえば、デンシトメータ、分光測光器、スキャナまたは他の色密度測定デバイスを用いて実行された色密度の測定である。
【００５２】
シアン、マジェンタ、黄色及び黒色に対して、ＰＡＤＦ低レベルソリッド主要密度目標ポイント、ＰＡＤＦ中間レベルソリッド主要密度目標ポイント及びＰＡＤＦ高レベルソリッド主要密度目標ポイントが満足されているかどうか（すなわち、印刷機がこれらの目標ポイントでＰＡＤＦを印刷しているかどうか）についてステップ５０８で決定される。これら目標ポイントのどれも印刷機によって満足されていないと決定されると、印刷機のインク壺ゾーン制御機器は、ステップ５１０で必要に応じて調整される。ステップ５１０から、本方法はステップ５０４に復帰する。
【００５３】
シアン、マジェンタ、黄色及び黒色の各々の色に対するＰＡＤＦ低レベル、中間レベル及び高レベルのソリッド主要密度目標ポイントがすべて満足されている場合、本方法はステップ５１２に進む。ステップ５１２では、ＰＡＤＦ低レベルと中間レベルのＰＡＤＦソリッド主要密度目標ポイント同士間での遷移と、中間レベルと高レベルのＰＡＤＦソリッド主要密度目標ポイント同士間での遷移がＣＭＹＫの各々に対して実質的に線形であるかどうか決定される。この決定は、たとえば、手動でユーザが、たとえば、ソリッド主要密度測定値を確かめながら行われる；しかしながら、この決定はまた、コンピュータで行ってもよい。
【００５４】
ステップ５１２で、遷移のすべてが実質的に線形であるとは限らない場合、本方法はステップ５１０に進み、ここで、プレスのインク壺制御キーを必要に応じて調整する。ステップ５１０から、本発明はステップ５０４に復帰する。一方、これらの遷移がすべて実質的に線形である場合、本方法はステップ５１４に進み、ここで、ＰＡＤＦの多くのシートが印刷機上を走行する。シートの数はアプリケーションによって異なるが、約２００枚である。
【００５５】
ＰＡＤＦを印刷機で作業してそれからデータを収集する他の方法を用いてもよい。たとえば、ＰＡＤＦ作業を２つ以上のセッションに分離してもよい。たとえば、第１のセッションでは、印刷機を設定して、最大のインク膜をＰＡＤＦ全体にわたって付加し、次に、印刷機のインク供給量を完全に遮断して印刷機の動作を継続させ、引き続いて、印刷機のインクトレインが枯渇するに連れてＰＡＤＦに対するインクを止めるようにしてもよい。このインク膜圧が指定された低レベル色密度目標ポイントに近づくと、ＰＡＤＦの印刷作業が完了する。その後で、ＰＡＤＦシートサンプルを測定すると、高レベルと低レベルのＰＡＤＦ目標ポイント間を段階的に増加する様々なインク膜圧をこれらのサンプルが含んでいることが分かる。色密度の所定の判断基準を満足するこれらのサンプルを選り抜いて、この選り抜かれたシートの制御セットポイントの色密度測定値をとる。第２のセッションでは、ＰＡＤＦを、ＰＡＤＦ全体にわたってほぼ均一にほぼ中間レベルのインク膜圧で印刷して、所定の数のＰＡＤＦをこの印刷機セッションから連続した順序で選り抜く。次に、選り抜かれたシートの所定の制御セットポイントの色密度測定値をとる。
【００５６】
図６Ａは、本発明の教示にしたがって用いられたプレスカラーバーの例である。プレスカラーバー６００は、あらゆる印刷物制作用のプレスに対するあらゆるプレスレイアウトに含まれる。このように実施すると、プレス準備手順が改善され、プレスチェック手順が改善されるという利点が、従来のシステムを用いては利用不可能なプレスオペレータ用のツールを提供することによって得られるが、これらの手順は共に効率的で、迅速で、正確である。
【００５７】
プレスカラーバー６００は、３つの判明なグループに分けられる複数の色サンプルを含む。この実施形態では、この３つの判明なサンプルグループは、一般的には約４０であるプレスの幅全体にわたって２列のカラーバー上を徐々に増加するような間隔で置かれる。図６Ａは、この２つの列を１連の矢印６１５で連続させたものを示している。たとえば、４０インチプレスでの用途向けのある実施形態では、これらのグループには、４つの線形セグメント６０１〜６０４、４つの変換済みセグメント６００Ａ〜６００Ｄ及び４１の準備セグメント６１０を含む。この例では、中心点６５０は、プレスカラーバー６００の中心点を示しており、これは、準備セグメント識別子すなわち中心５０に対応する。プレスカラーバー６００は、ディジタルＥＰＳコンピュータグラフィックスファイルフォーマットなどの多くの電子データフォーマットの内の１つとして提供してもよい。１例として、このファイルフォーマットは、リンクされたコンピュータファイルを２つ以上含むが、これらは個々が、４つのＣＭＹＫチャネルから成っている。図６には示してないが、プレスカラーバー６００もまた、追加のセグメントを含んでいる。たとえば、追加の列を所望に応じて付加して、５色印刷から８色印刷で用いられる５番目、６番目、７番目及び／又は８番目などの１つから４つの追加色を付加するようにしてもよい。これらの追加色は、Ｃ、Ｍ、Ｙ及び／又はＫの色組み合わせを用いるのではなく、１つのインクを用いることによって背景などの大きい平坦なエリアを印刷することが有利であるようなアプリケーションで用いてもよい。
【００５８】
線形セグメント６０１〜６０４は第１のファイルに含まれるが、１７個の１次元（１Ｄ）色サンプル、すなわち、互いにオーバーラップしない、本発明にしたがって用いられるソリッドエリア及び網かけエリアを持つ「純粋の」Ｃ、Ｍ、Ｙ及びKの顔料を含む第１の行として位置付けされる。たとえば、線形セグメント６０１〜６０４はその各々が、Ｃ、Ｍ、Ｙ及びＫの各々に対するソリッドと網かけの色サンプル値（たとえば、１００、７５、５０及び２５パーセントドット値）に対応する制御セットポイント０１〜１６とインクを有しないサンプル００とを含む。変換セグメント６００Ａ〜６００Ｄは第２のファイルに含まれ、また、本発明にしたがって用いられるソリッドエリアと網かけエリアを持つ１７の追加の１Ｄ色サンプルを含む第１の行のある部分として位置付けされる。変換セグメント６００Ａ〜６００Ｄは各々が、ソリッドと網かけの色サンプル値（たとえば、Ｃ、Ｍ、Ｙ及びＫの各々に対して１００、７５、５０及び２５パーセントドット値）に対応する制御セットポイントＴ０１〜Ｔ１６１とインクを有しないサンプルＴ００とを含む。
【００５９】
準備セグメント６１０は、第１の側６９８から第２の側６９９に連続して識別され、識別子（たとえば、７０から３０）を持つ位置に対してマーク付けされ、また、２つの行の内の第２の行として位置付けされる。準備セグメント６１０は、本発明にしたがって用いられるＣ、Ｍ、Ｙ及びＫのソリッドエリアを持つ４つの色サンプルを含む。１つ以上の準備セグメント６１０を用いる方法の１例を、図６Ｂを参照して詳細に説明する。線形セグメント６０１〜６０４と準備セグメント６１０は、制作のプレート製造フェーズではなんら変換を受領しない；したがって、最初のファイル値は、プレートが製造されるに連れて保持される。一方、変換セグメント６００Ａ〜６００Ｄは、プレス制作作業中に業務に対して実行される同じＩＤ変換を受領する。こうする替りに、変換セグメント６００Ａ〜６００Ｄで測定された値に対して変換を適用する場合、これらの変換は別個のファイルにストアされてプレートが製造されるに連れて用いられる。
【００６０】
制作のプレスチェックフェーズ中に、プレスカラーバー６００もまた、プレスで作成されるシート（プレスシート）の外観が容認できない場合にどのような調整をすべきであるかを決定するために用いられる客観的データを提供するために用いられる。主観的データと客観的データを組み合わせると、印刷職工が、ＣＭＹＫ階調の再現のために必要とされる調整の組み合わせと解釈しなければならない主観的データだけの場合にない利点が提供される。主観的データは、通常は、非専門的な用語で表現され、この場合、印刷物のバイヤーは、たとえば、「この茶色は濁っている」とか「この緑は色あせたオリーブ色だ」などの用語を用いて校正刷りの外観に対する印刷物を表現する。
【００６１】
たとえば、変換セグメント６００Ａ〜６００Ｄ内の色サンプルの密度値を測定して、収集された変換済みデータを提供し、これを次に、印刷業務に対応する校正刷りデバイスプロフィールと比較して、比較された変換データを生成する。比較された変換データは、プレスシートと校正刷りデバイスによって出力されたデータ（校正刷り）中の階調再現密度との間の密度変化を記述し、また、これを用いて、ＣＭＹＫ階調再現のどれか又はすべての組み合わせに対して調整が必要であるかどうか、あるとしたらどの程度必要であるかに関して判定を下す。このような判定をする１つの方法を、図１３を参照して説明する。
【００６２】
加えて、線形セグメント６０１〜６０４内の色サンプルの密度値を測定して、収集された線形データを提供し、これを次に、この特定の制作作業のために用いられるプレスに対応するプレスプロフィール中のグループＮｏ．２データと比較して、比較済み線形データを生成する。比較された線形データは、プレスシートとプレスプロフィール中の階調再現密度との間の密度変化を記述し、また、これを用いて、ＣＭＹＫ階調再現のどれか又はすべての組み合わせに対して調整が必要であるかどうか、あるとしたらどの程度必要であるかに関して判定を下す。このような判定をする１つの方法を、図１４を参照して説明する。
【００６３】
次に、これらの密度変化に関するこのような情報を、熟練した印刷職工が解釈して、プレスシートを外観的に許容されるようにする。このような利点によって、プレスシートの外観が許容されるかどうかに関する印刷バイヤーの意見を支持するために制作の際に調整を実行するために必要とされる試験的な繰り返しの回数が減少することになる。そのうえ、視覚的な又は主観的な評価が密度変化と一致しない場合、このような方法は、外因による問題が存在することを示す。
【００６４】
次に、比較された変換データと比較された線形データは、ある特定の実施形態では、中間プレスプロフィール調整値（ＩＰＰＡ）を生成するために用いられる。次に、ＩＰＰＡを用いて、上記の調整の１部又はすべてを実行する。ある特定の実施形態では、ＩＰＰＡは、図９と１０に示すように、ある特定の印刷プロフィールで用いられ及び／又はこれに割り当てられて、このプレスプロフィールを調整するための密度調整値のテーブルである。たとえば、これらの調整値は、プレスプロフィールが作成されて以来発生したプレスの印刷特徴の変動の影響及び／又は印刷特徴の他の日々の変動を説明して軽減するために用いられる。これらの変動には、これに限られないが、紙／基本基板、インク、プレート、壺溶液、画像転送シリンダブランケット、プレスの機械的設定値、周囲の湿度／温度条件による変化が含まれるが、これらはバッチ毎に又は日によって変化し得るものである。このような利点によって、各制作業務を実行する以前に補正しても一般的には実用的ではない。
【００６５】
使用されるＩＰＰＡの１例を、以下の表ＩＩＩに示す。
【表４】
2004538174.tif 000006
【００６６】
たとえば、９０％制御セットポイントにおけるプレスプロフィールの１．１５というシアン密度値を上方に．０１６だけ調整して、密度１．１６６という調整済み値を得て、この結果、とりわけ、シアン９０％の制御セットポイントの密度値が調整されてより高くなる。これらの調整は、たとえば、プレスプロフィールからのデータに適用される調整値又は調整済み値を提供することによって実行される。次に、これらの調整値又は調整済み値を用いて、ＩＰＰＡ値を反映する１Ｄ変換データを生成する。
【００６７】
図６Ｂに、本発明の教示にしたがって用いられるプレスカラーバーをグラフィックに示す。準備セグメント６１０を用いると、従来のシステムにない利点がある。準備セグメント６１０は、規則的な間隔で離間され寸法が決められていて、また、これを用いて、手順がその上で実行されるプレスとは実質的に独立な準備手順を提供する。図６Bは、準備セグメント６０５の幅を示す。１例として、ある特定の実施形態では、これらの準備セグメントは、２５ｍｍ間隔で置かれているか、すなわち、２５ｍｍという幅を有している。準備セグメントもまた、準備セグメントの相対的部分を表すセグメントの幅のオフセットされた正の又は負の端数を含んでいる。１例としてこれらのオフセットは、準備セグメントの３０〜７０の識別子の各々からの距離又は色サンプルＣ、Ｍ、Ｙ及びＫの中心同士間距離を表している。これらのオフセットを用いて、インク壺ゾーン制御機器の中心からの密度測定され、また、後でインク壺ゾーン制御機器に対する調整値となる座標を識別する。たとえば、準備セグメント４２（図６Bでは、端セグメント６０５の中心又は識別子と認識されている）は、それぞれオフセット６０５Ｄ、６０５Ｃ、６０５Ｂ及び６０５ＡでいろサンプルＣ、Ｍ、Ｙ及びＫを含む。Ｃ、Ｍ、Ｙ及びＫに対するオフセットは、準備セグメントの各々に対するのと同じ端数値（ｆｒａｃｔｉｏｎａｌ  ｖａｌｕｅ）を有し、また、これをセグメントの幅の端数値として表される。ある特定の実施形態では、オフセット６０５Ａは、−．３９という端数値を有し、オフセット６０５Ｂは、−．１７という端数値を有し、オフセット６０５Ｃは、＋．１７という端数値を有し、オフセット６０５Ｄは＋．３９という端数値を有している。
【００６８】
制作のプレス準備フェーズ中、準備セグメント６１０の１部又はすべてが、プレスインクゾーン制御機器の１部又はすべてと相互関連付けられる。プレスインク壺ゾーン制御機器６３５、６３６、６４５及び６４６という４つの例を、図６ＡＢの下層インク壺ゾーン制御機器番号（ｖｆｃｓ）６２５と６２６の例の近くに示す。また、図６Ｂに示すように、インク壺ゾーン制御機器６３６はゾーン６５６にあり、インク壺ゾーン制御機器６４６はゾーン６５７にあり、インク壺ゾーン制御機器６３５と６４６はそれぞれゾーン６６３と６６４にある。たいていの印刷機は、概して線形の配列を成すインク壺ゾーンを利用しているが、これらのゾーンのほぼ中心点は、インク壺ゾーンの中心であるか、又は、２つのゾーン間の境界であるかのどちらかである。各壺ゾーン制御機器は、通常は、印刷シリンダ上の自分自身の位置を示す各ゾーンのほぼ中心に識別表示又は位置番号を有している。本発明はまた、壺ゾーン制御機器がゾーン中の中心に置かれていない場合にも利用され得る。インク壺ゾーン制御機器は、スピゴット、キー、スイッチ又は、印刷中にある領域上に所望の量のインク又は顔料を分配する又は提供するために用いられる他のメカニズムであったりする。
【００６９】
通常は、印刷機から出た最初の１枚のシートが、通常はコンソールのインク壺制御スケール上に明瞭にマーキングされているインク壺ゾーン制御機器（明示的には示されていない）から成る配列の中心のところに図６Ｂ中で示されるように１つ以上の中心点６５０を置くことによってプレスコンソール上で合わせられる。本実施形態では、図６Ｂは２つの準備セグメント５２と４２を示しているが、これらは、それぞれ端セグメント６０５と６０６として選択され、また、色の出力と調整を伴うライブコピー内容を網羅（ｅｎｃｏｍｐａｓｓ）するものであり、これはすなわち「網羅されたセグメント」である。この網羅されたセグメントは、アプリケーション毎に異なり、また、通常は、プレス上に印刷された色が配分されたエリアを含み、また、紙／基礎基板のサブセットもしくは全体幅である。これら端セグメント６０５と６０６の各々に対して、対応する下層インク壺ゾーン制御機器６２５と６２６がそれぞれ割り当てられる。仮想ウインク壺ゾーン制御機器（ｖｆｃｓ）６２５と６２６は、実際のインク壺制御機器６３５と６４５間の相対的推定距離とインク壺ゾーン制御機器６３６と６４６間の相対的推定距離をそれぞれ用いて割り当てられてもよい。１部のアプリケーションでは、これらの端セグメントは、印刷機上のインク壺ゾーン制御機器の位置に正確に対応する。
【００７０】
たとえば、このようなｖｆｃｓを補間する率直な方法を用いてもよい。この方法は、たとえば、端セグメント４２と５２の位置と比較してのプレスのインク壺ゾーンの中心の位置に対するプレスオペレータによる最良の推定が含まれる。次に、このプレスオペレータは、これらインク壺ゾーン制御機器の内のどの２つがこれらの端セグメントに対応しているか注目する。この例では、ｖｆｃ１０．５のロケーションは、プレスのインク壺ゾーン制御機器１０とインク壺ゾーン制御機器１１間の距離の５０％である。したがって、この例では、プレスオペレータは、準備セグメント４２を１０．５という数値を持つｖｆｃ６２５に相互関連付け、また、同様に、準備セグメント５２が１８．５という数値を持つｖｆｃ６２６に相互関連付けられる。これら２つの対応するｖｆｃが準備セグメント４２と５２に対するものとして注目された後、Ｃ、Ｍ、Ｙ及びＫ各々に対する密度変化が注目される。仮想インク壺ゾーン制御機器（ｖｆｃｓ）が、網羅された準備セグメント４２〜５２内のすべての色サンプルに対して様々な方法を用いて計算されるが、その内の１つの方法を、図７を参照して説明する。
【００７１】
セグメント４３のシアンサンプル６８０などの準備セグメント６１０内の色サンプルの密度値の測定値を、プレス作業レイアウト内の網羅されているセグメントの幅のすべて又はある部分について取る。次に、カラーバー上で測定された各ソリッドＣ、Ｍ、Ｙ及びＫサンプルのソリッド密度を測定して、準備ソリッド主要目標ポイントと比較し、これによって、色密度変化データを提供する。このデータもまた、プレスのインク壺制御キーに対応するプレス作業レイアウト全体にわたる変化を記述するものである。このデータは、どのキーが調整する必要があるか、どの程度まで調整をする必要があるかについての価値ある情報をプレスオペレータに提供する。
【００７２】
準備セグメント識別子をインク壺ゾーン制御機器に相互関連付けると、従来の方法と最近開発された方法の双方にない利点を提供する方法となるが、この方法は、これらのシステムにとって必要とされる退屈な距離測定をする必要性を解消するものである。たとえば、中心点６５０は常に、制作の事前プレスフェーズにおいてすべての制作業務上のプレス作業レイアウトの中心に位置付けされ、次に、プレスから離れた１枚目のシートの中心点６５０を、インク壺ゾーン制御機器の配列を表すプレスのコンソール上のスケールに合わせ、端セグメントの指定が注目され、また、ｖｆｃｓの端セグメントに対する相互関連付けが注目され、これらはすべてが、３０秒未満で実行される。これによって、時間が節約され、最近開発された方法より精度が改善される。
【００７３】
加えて、他の方法になり利点を提供する本発明の態様には、Ｃ、Ｍ、Ｙ及びＫ各々に対する各準備セグメント識別子とオフセット６０５Ａ〜６０５Ｄを用いる補間法を利用する方法が含まれる。準備ソリッド主要密度目標ポイントなどの所望の密度にしたがってインク壺ゾーン制御機器を調整するために用いられる、仮想インク壺制御機器と密度変化を決定するために、補間法を用いる。別の態様は、ライブコピー内容を指定するステップと、網羅されたセグメントと端セグメントを用いるステップとを含み、これによって、インク壺ゾーン制御機器を、図７に説明するような方法で網羅済みセグメント、この場合はセグメント４２〜５２、について取られた測定値を利用して調整することが可能となる。
【００７４】
本発明のこれらの態様によって、印刷機の中心などの正確な基準ポイントに対する色サンプルの距離を測定するステップを含む必要性が軽減又は解消され、また、従来の方法やシステムでは必要であるインク壺ゾーン制御機器を調整する際に必要とされる時間とリソースがかなり減少する。このような利点は、準備手順を実行する速度が増し、オペレータのエラーの可能性が減少する。たとえば、本発明はライブコピー内容を指定するが、これによって、本発明に依らないとプレスオペレータにとって必要となり制作印刷業務の色忠実度に影響しないインク壺ゾーン制御機器の監視及び／調整に時間と努力を費やさせるような要件が軽減されるのでリソースが保存される。
【００７５】
加えて、本発明はまた、ある種のアプリケーションにおいて、所望しだいで、第１の側６９８と第２の側６９９間の軸上の行に沿って準備セグメント６１０を拡大又は縮小することを考察している。カラーバーやプレスシート上での色サンプルの位置を指定するためには座標を用いてはいないので、また、準備セグメント６１０は規則的なサイズを有し、また、各セグメントの幅を知る必要はないので、このような拡大や縮小は、たとえば、簡単な印刷コマンドや他のコマンドによって所望しだいで実行される。このように準備セグメント６１０を所望しだいで拡大することが可能であることによって、色測定サンプルの量を減少させることが可能であるという利点がもたらされ、これによって準備手順が効率化される。その一方では、準備セグメント６１０のサイズを所望しだいで減少させることが可能であることによって、追加データを作成するための色測定サンプルの量が増加されるという利点がもたらされる。この追加データによって、当面の印刷物制作業務の要件を満足させるために必要とされるような調整を実行する際における制御がきめ細かいものとなる。準備セグメント６１０のサイズの変更は、動的に実行され、また、このような変更によってプレスカラーバー６００上の準備セグメント６１０中におけるサンプルの位置が変化するとはいえ、これらの変更によって、上記の方法が変更されるわけではない。このようなフレキシビリティによって、用いられる方法に影響することなく、大なり小なり必要に応じた量だけデータを提供するように動的に調整される準備手順が向上する。これと比較して、従来の又は最近開発された方法のカラーバー上におけるサンプルの位置又はこのカラーバーのサイズを同様に変更するには、一般的には、準備手順を実行する目的で調整を正確に行うために色サンプルの距離及び／又は位置測定値を新たに入力する必要がある。
【００７６】
このような利点もまた、オペレータに、どのキーが調整を必要とするか、また、必要とする場合、どの程度まで調整が必要かに関する価値ある情報を与えることになり、また、次いで、各制御片で測定されるソリッドインク密度を制御するインク膜圧の制御の精度を向上させることが可能となる。前記の利点もまた、プレス出力データのためのソリッド密度と階調密度を校正刷りに対してより正確に合わせることを可能とし、また、より正確に校正刷り出力に合う外観を持つ制作業務を印刷するために用いられる調整値をより正確に計算することを可能とする。そのうえ、これらの利点によって、事実上どの印刷機とも独立しており、また、これと一緒に使用され得る密度変化の調整が簡単で容易なものとなり、しかも、これは、プレスインク壺ゾーン制御機器同士間の距離、ゾーン制御機器の品質、各インク壺ゾーン制御機器の中心から任意の基準点への距離及び／又は印刷機のディメンジョンとも無関係である。
【００７７】
図７は、図９に説明するように改善されたプレス準備手順を実行する方法の例である。この方法を実行している間、インク壺ゾーン制御機器は、紙／基礎基板上のインクのレベルが適正に維持されるように調整される。
【００７８】
ステップ７０２では、ライブコピー内容を網羅するような準備セグメント、すなわち網羅されたセグメントは、監視されるように選択される。これらのセグメントには、端セグメント６０５及び６０６と、これによって網羅される準備セグメントとがある。次に、これら網羅されたセグメントは各々が、図６Ｂを参照して上述したようにｖｆｃに相互関連付けされる。ステップ７０４では、多くのシートが印刷される。この数はアプリケーション毎に異なるが、十分な数のシートを印刷して、とりわけ、適切なインクと水のバランスを確保し、又は、他の不規則性が発生したかったことを保証するようにする。ステップ７０６では、ステップ７０４で印刷されたシートの内の１枚を選択し、また、選択されたプレス準備色サンプル密度値を測定する。
【００７９】
ステップ７０８では、準備密度変化を、これらの色サンプルの各々に対して計算する。ある特定の実施形態では、準備密度変化は、次の式によって表される：
準備密度変化＝
準備ソリッド主要密度−Ｐ目標ポイント  −
（色サンプルのソリッド主要密度−Ｐ）
2004538174.tif 000007
【００８０】
ステップ７１０では、ｖｆｃ番号（仮想ゾーン制御機器番号）を計算して、各色サンプルと関連する値を表す。ある特定の実施形態では、仮想ゾーン制御機器番号は次の恣意によって表される：
仮想ゾーン制御機器番号  ＝  初期仮想ゾーン制御機器  ＋  （（現行セグメント  −  第１のセグメント  ＋  色サンプルオフセット）  ＊  （ゾーンの数／セグメントの数）
ここで、
初期仮想ゾーン制御機器  ＝  第１の端セグメントに対応するｖｆｃ
色サンプルオフセット  ＝  Ｍ−Ｒセグメントの幅のオフセットの正又は負の端数（フラクション）
ゾーンの数  ＝  ライブ・コピー内容中のｖｆｃの数
セグメントの数  ＝  ライブ・コピー内容中に含まれる網羅されたセグメントの数
2004538174.tif 000008
【００８１】
例は図示されている。図６Ｂを参照して説明した例を引き合いに出すと、初期仮想ゾーン制御機器は１０．５に等しく；第１のセグメントは４２に等しく、ゾーン制御機器の数は１８．５−１０．５＝８であり；網羅されたセグメントの数は５２−４２＝１０である。したがって、この例では、仮想ゾーン制御機器番号は１０．５＋（（現行のセグメント−４２＋色サンプルオフセット）＊８／１０）である。すると、仮想ゾーン制御機器番号は、現行セグメント毎にＣ、Ｍ、Ｙ及びＫ各々に対して計算される。したがって、ここでは、１０個のセグメント４２−５２は、８個のゾーン（１０．５−１８．５）に対応し、仮想ゾーン番号は、図６Ｂに図示するようにシアンサンプル６８０の場合に対して次のように計算される：
各セグメント  ＝  １つのゾーンの（８／１０）
シアンオフセット  ＝  １つのセグメントの．３９
セグメント４３のシアンサンプル６８０は、開始ポイント又は（１．３９  ｘ  （８／１０））１．１１２から１．３９セグメント
開始ゾーン１０．５  ＋  １．１１２  ＝  １１．６１２
2004538174.tif 000009
【００８２】
ｖｆｃ番号も同様に、網羅されたセグメント４２−５２内の他の色サンプルのすべてに対して計算される。
【００８３】
ステップ７１１では、各インク壺ゾーン制御機器に対して、各色サンプル毎に測定された密度値を用いて密度変化を計算する。たとえば、２つの最も近い仮想ゾーン制御機器番号同士間で、ステップ７０８で得られた準備密度変化を用いて補間法を実行する。
2004538174.tif 000010
ここで、
ｆｃ  ＝  インク壺ゾーン制御機器番号
ｖｆｃ  ＝  仮想インク壺ゾーン制御機器番号
ｈｖｆｃ  ＝  ｆｃより大きく、これに最も近い仮想インク壺ゾーン制御機器
ｌｖｆｃ  ＝  ｆｃより小さく、これにもっとも近いｌｖｆｃ
ｌｖｆｃｄｅｎｖ  ＝  ｌｖｆｃでの準備密度変化
ｈｖｆｃでの準備密度変化
2004538174.tif 000011
【００８４】
上のサンプルを用い、また、１１．３のｖｆｃが図示目的で準備セグメント４３用に割り当てられていると仮定すると、２つのもっとも近い仮想ゾーン制御機器の値は、１０．５と１１．３となる。図示目的で、これら２つの仮想ゾーン制御機器に対応する色サンプルに対する密度変化がそれぞれ０．１０と０．２０であると仮定すると、インク壺ゾーン制御機器１１に対する密度変化は次のように計算される：
2004538174.tif 000012
【００８５】
ステップ７１２では、本方法は準備密度変化が所望の許容誤差範囲内にあるかどうか照会する。範囲内にあれば、本方法はステップ９０６に進み、ここで、プレスチェックが観察される。一方、準備密度変化が所望の許容範囲内に無ければ、ステップ７１４で、オペレータは、調整の程度を決定するための指針として準備密度変化を用いて壺キー制御機器設定に対して適切な調整を実行する。たとえば、プレスオペレータは、プレスのインク壺制御機器１１を上方に調整して、結果として得られるインク膜圧を０．１６２５だけ増加させる。この調整は自動的に実行しても手動で実行してもよく、また、これには、０．１６２５という所望の密度増加分とプレスに供給されるインク又は顔料の体積増加分との間での計算が含まれる。次に、本方法はステップ７０４に進む。
【００８６】
図８は、図４のステップ４１０をより詳細に表すプレスプロフィールのデータを測定する方法の例である。ステップ８０２では、プレスグループＮｏ．１データを用いて、Ｃ、Ｍ、Ｙ及びＫ各々のプレスプロフィールのソリッド主要密度−Ｐ目標ポイントにもっとも近接する制御セットポイント２３０〜２５８を持つＰＡＤＦの制御片２０１〜２２１内のセクションを選択する。これらのセクションは、個別の制御片内にあったり無かったりする。たとえば、プレスグループＮｏ．１データから得られた測定値は、第１の制御片の制御セットポイント２３１（Ｃ）の密度値は１．２６であり；第２の制御片の制御セットポイント２３８（Ｍ）の密度値は１．３３であり；第３の制御片の制御セットポイント２４５（Ｍ）の密度値は０．９２であり；第４の制御片の制御セットポイント２５２（Ｋ）の密度値は１．６１であることを示す。これらの値は、ある特定の実施形態で定められるようにＣ、Ｍ、Ｙ及びＫ各々に対するプレスプロフィールソリッド主要密度−Ｐ目標ポイントにもっとも近づく値である。このようにプレスプロフィールソリッド主要密度−Ｐ目標ポイントにより近づくように制御片各々にセクションを選択することが可能であることによって、校正刷りデバイスプロフィールとプレスプロフィール間でのソリッドインク密度の不整合を最小化しやすくなる。ステップ８０４では、次に、これらの選択されたセクションを、指定されたＰＡＤＦシートサンプル上で不完全なところはないか検査する。ある特定の実施形態では、これらのシートサンプルは、９個の内のＰＡＤＦシートサンプル２から９として識別される。
【００８７】
ステップ８０６では、指定されたＰＡＤＦシートサンプルのどれか上で選択済みのセクションのどれかについて不完全なところが見つかったかどうか判定される。これら選択されたセクションの内のどれかについて不完全なところが見つかった場合、本方法はステップ８０８に進み、ここで、不完全なところが見つかったシートをステップ６０６で提供された１５のスペアのシートの内の１つで置き換える。ステップ８０８から、本方法はステップ８０４に復帰する。ステップ８０６でこれらの選択されたセクションのどれにも不完全なところが何も見つからなかった場合、本方法はステップ８１０に進み、ここで、指定されたＰＡＤＦシートサンプル上のＣ、Ｍ、Ｙ及びＫにそれぞれ対応する選択された片セクション上でのＣ、Ｍ、Ｙ及びＫ各々に対するすべての制御セットポイント２３０〜２５８の色密度を測定して、プレスプロフィールＮｏ．２データとする。すなわち、制御セットポイント２３０〜２５８に対する測定値は、上記の例で注記したように第１、第２、第３及び第４の制御片から取る。
【００８８】
図９は、本発明の教示にしたがって、１Ｄ変換データを生成して制作プレス作業にこのデータを適用する方法の例の図である。本方法は、ステップ９０２から始まるが、ここで、１Ｄ変換データが生成される。１Ｄ変換データを生成する１例を、図１０〜１２を参照して詳述する。
【００８９】
ステップ９０４では、１Ｄ変換データが、制作業務用のプレート又はシリンダの作成中に適用され、次に、ステップ９０５と９０６で、プレス準備とプレスのチェックによる観察が制作業務に対して実行される。ある特定の実施形態では、改善されたプレス準備手順を、本発明の教示にしたがってステップ９０５で実行する。ステップ９０８では、本方法は、プレスシートと校正刷りを視覚で観察したときにプレスシートと校正刷りとの間に（一般的な業界の慣行の範囲内で）容認可能な色忠実度が存在するかどうか照会する。存在する場合、ステップ９０１で、製作試験作業が実行される。この製作試験作業の間、図7を参照して説明したようなプレス準備手順もまた、時折、又は所望しだいで実行して、インク壺制御機器を調整する。存在しない場合、ステップ９１２で、印刷物製作品質管理を、校正刷りデバイスプロフィールを基準として用いて実行して、密度変化データを提供する。このような印刷物製作品質管理を実行する１つの方法を、図１３を参照して説明する。
【００９０】
ステップ９１４で、本方法は、密度変化データが、一般にはプレスオペレータ又はバイヤーによって実行される視覚観察による批判を立証しているかどうかについて照会する。たとえば、シアンに対する測定済みデータが５０％制御セットポイントにおいて密度変化が−０．０５であると示す場合、視覚観察の結果、プレスシートは校正刷りと比較してシアンが「弱い」と示すはずである。そうでなければ、ステップ９１６で、印刷物製作品質管理を、プレスプロフィールを基準として用いて実行して、密度値データを提供する。このような印刷物製作品質管理を実行する１つの方法を、図１４を参照して説明する。ステップ９１８で、本方法は、密度変化データが、視覚観察批判を立証しているかどうか照会する。立証していない場合、ステップ９２０で、これに限られないが、校正刷り、プレート製造及び／又はインク仕様などの外因による問題が探索される。何も見つからない場合、グラフィックファイルは追加の事前プレス色補正を必要とし、本方法は終了する。
【００９１】
密度変化データがステップ９１４でも９１８でも視覚観察批判を立証しない場合、ステップ９２２で、密度変化データを用いて、ＩＰＰＡ値を決定する。これらの値を用いてステップ９２４でＩＰＰＡを生成し、次に、本方法はステップ９２４からステップ９０２に復帰する。ＩＰＰＡ値を提供する１つの方法を、図６Ａを参照して説明する。
【００９２】
図１０は、ステップ９０２をより詳細に表す１Ｄ変換データを計算する方法の例である。方法１０００はステップ１００２から始まり、ここで、ステップ８１０で収集されたプレスグループＮｏ．２データ中の各制御セットポイントに対する平均値が計算される。ある特定の実施形態では、各サンプルに対して色密度の最大値と最小値が無視される。ステップ１００４で、紙の平均色密度（すなわち、制御セットポイント００の測定値の平均値）を他のすべての制御セットポイントの平均値から減算して、プレスプロフィール実際ソリッドと階調主要密度−Ｐに対する測定値とする。
【００９３】
ステップ１００６では、プレスグループＮｏ．１データを用いて直線回帰分析を実行して、後でプレスプロフィール密度を調整するために用いられる勾配を提供する。ある特定の実施形態では、校正刷りデバイスプロフィールソリッド主要密度−Ｐの＋／−０．１２などの許容誤差内のデータポイントだけが考慮される。このようなデータポイントは、たとえば、密度がＰＡＤＦ全体にわたって合計０．５０だけ変化するような場合に正確なデータとなる。他のアプリケーションでは、他のデータポイントが考慮される。こうする替りに又はこうすることに加えて、非直線回帰技法を含む他の統計的分析が用いられる。プレスＮｏ．１データ及び／プレスＮｏ．２データを、図４を参照して上述したようにプレスシートのすべてから収集する場合、回帰分析はこのデータの１部又はすべてを考慮する。
【００９４】
ステップ１００８では、本方法は、このプレスプロフィールに対するアクティブなＩＰＰＡ値が存在するかどうかについて照会する。存在する場合、ステップ１０１０で、本方法は、ＩＰＰＡからの調整値をプレスプロフィールの適切な階調主要密度、この場合はプレスプロフィールの実際の階調主要密度−Ｐに加算し、次に、１０１２に進む。アクティブなＩＰＰＡの記録がファイル上にない場合、本方法はステップ１００８からステップ１０１２に進む。ステップ１０１２で、プレスプロフィールは、校正刷りデバイスプロフィールに一致するように又はその中の値とより近似するように調整される。たとえば、Ｃ、Ｍ、Ｙ及びＫ各々に対するプレスプロフィールの実際のソリッド主要密度−Ｐを調整して、Ｃ、Ｍ、Ｙ及びＫそれぞれに対する校正刷りデバイスプロフィールのソリッド主要密度−Ｐにより近似するようにする。これらの値は、プレスプロフィールの調整済みソリッド主要密度−Ｐである。同様に、プレスプロフィールの実際の階調主要密度−Ｐを、プレスプロフィールの調整済みソリッド主要密度−Ｐに反応して調整する。これらの調整を実行する１つの方法を、図１１を参照して説明する。ステップ１０１４で、１Ｄ変換値を計算する。
【００９５】
図１１は、図１０のステップ１０１２をより詳細に表す校正刷りデバイスプロフィール中の値により近似するようにプレスプロフィールを調整する方法の例である。この調整をＣＭＹＫの階調主要密度に対して実行して、プレスプロフィール実際ソリッド主要密度−Ｐと校正刷りデバイスプロフィールのソリッド主要密度−Ｐ間の差に比例して階調主要密度を調整することによってプレスプロフィール実際ソリッド主要密度−Ｐと校正刷りデバイスプロフィールのソリッド主要密度−Ｐ間の差を補正する。
【００９６】
本方法はステップ１１０２から始まり、ここで、プレスグループＮｏ．２データの制御セットポイントＣ、Ｍ、Ｙ及びＫ各々のソリッド又は階調の主要密度−Ｐの各々に対して、ステップ１１０６と１１０８を実行する。ステップ１１０４では、プレスプロフィールの実際のソリッド主要密度−ＰをＣ、Ｍ、Ｙ及びＫのその制御ポイントに対する校正刷りデバイスプロフィールのソリッド主要密度−Ｐから減算する。このステップは、プレスグループＮｏ．２データのＣ、Ｍ、Ｙ及びＫのすべてのソリッド主要密度−Ｐ制御セットポイントに対して実行される。ステップ１１０６では、ステップ１１０８での演算の結果にステップ１００６で引き出された適用可能な回帰式の勾配を乗算する。次に、本方法はステップ１１０８に進み、ここで、ステップ１１０６の結果を制御セットポイントに対するそれぞれのプレスプロフィールのソリッド又は階調主要密度−Ｐの値に加算して、その制御セットポイントに対するそれぞれのプレスプロフィール調整済み主要密度−Ｐ値を計算する。
【００９７】
図１２に、ステップ１０１４をより詳細に表す１Ｄ変換データ値を計算する方法の例である。この変換データによって、ＣＴＰプレートのパーセントドット値を調整することが可能となる。このようにして、印刷機の出力（たとえば、ほとんどの場合製作作業画像である第２画像）を校正刷りに照らし合わせて校正し、これで、印刷された画像の色密度が、対応する校正刷りの色密度により近似するようにする。図１２の方法は、ある好ましい実施形態では、パーセントドット値に対する調整値を計算して、校正刷りとプレスのハーフトーン又は階調色密度値が互いにもっと合うようにするプロセスを提供する。
【００９８】
方法１２００は、Ｃ、Ｍ、Ｙ及びＫの各制御セットポイントに対して実行され、また、ステップ１２０２から始まるが、ここで、ＣＭＹＫ各々の各制御セットポイントに対して校正刷りデバイスプロフィールの階調主要密度−Ｐより大きくこれに最も近いプレスプロフィール制御セットポイント密度読みとり値が選択される。
ａ  ＝  校正刷りデバイスプロフィールの階調主要密度−Ｐ値より大きくそれに最も近いプレスプロフィール調整済みソリッド又は階調又は密度−Ｐ
2004538174.tif 000013
【００９９】
ステップ１２０４では、校正刷りデバイスプロフィールの階調主要密度値未満でこれに最も近いプレスプロフィール制御セットポイント密度読みとり値が選択される。
ｂ  ＝  校正刷りデバイスプロフィールの階調主要密度値未満でこれに最も近いプレスプロフィール調整済みソリッド又は階調主要密度−Ｐ
2004538174.tif 000014
【０１００】
ステップ１２０６では、これら２つの値ａとｂとの間の色密度の差ｘを計算する。ステップ１２０８では、ステップ１２０２で選択されたプレスプロフィール制御セットポイントと関連するパーセントドット値を、ステップ１２０４で選択されたプレスプロフィール制御セットポイントのパーセントドット値から減算する。
ｙ  ＝  パーセントドット値（ａ）  −  パーセントドット値（ｂ）
2004538174.tif 000015
【０１０１】
ステップ１２１０では、ステップ１２０４の結果を校正座売りデバイスプロフィールの恣意聴取用密度−Ｐ力減算する。
ｚ  ＝  校正刷りデバイスプロフィール階調主要密度−Ｐ  −  ｂ
2004538174.tif 000016
【０１０２】
ステップ１２１２では、ステップ１２１０の結果をステップ１２０６の結果で除算する。
2004538174.tif 000017
【０１０３】
網かけの又は階調のパーセントドット調整値ｕを、ｗ  ＊  ｙという乗算によってステップ１２１４で計算してもよい：
2004538174.tif 000018
【０１０４】
ステップ１２１６では、校正刷りデバイスプロフィールの階調主要密度−Ｐ値を生じるために必要とされるドットサイズ（「必要ドットサイズ」）を計算する：
必要ドットサイズ  ＝  パーセントドット値（ｂ）  +  ｕ
2004538174.tif 000019
【０１０５】
次に、このデータを、図１のステップ１０８で説明したように、印刷機を校正するためにＣＭＹＫ各々の各制御セットポイントに対する制作印刷業務ＣＴＰプレートに適用する。
【０１０６】
例を図示する。２５パーセントドット値を有する０．２０という校正刷りデバイスプロフィールの階調主要密度−Ｐ値の場合、２つのプレスプロフィール調整済みソリッド又は階調主要密度−Ｐ値を、ステップ１２０２と１２０４で値ａとｂに対して選択する。この例では、２５パーセントドット値を有する校正刷りデバイスプロフィールの階調主要密度−Ｐ値より大きくこれに最も近い０．３０という第１のプレスプロフィール調整済みソリッド又は階調主要密度−Ｐ値によって、ａ＝１．１１となる。同様に、この例では、１０パーセントドット値を有する校正刷りデバイスプロフィールの階調主要密度−Ｐ値より小さくこれに最も近い０．１０という第２のプレスプロフィール調整済みソリッド又は階調主要密度−Ｐ値によって、ｂ＝０．１となる。ステップ１２０６〜１２１６と進行すると、ｘ＝０．２；ｙ＝１５パーセント；ｚ＝０．１；ｗ＝．１／．２＝０．５；ｕ＝０．５＊１５％＝７．５パーセント及び必要なドットサイズは１０+７．５＝１７．５パーセントとなる。
【０１０７】
図１３は、ステップ９１２で説明したように、校正刷りデバイスプロフィールを基準として用いて印刷物制作品質管理を実行する方法の例である。ステップ１３０２では、色サンプルを、プレスカラーバー変換されたセグメント６００Ａ、Ｂ、Ｃ及び／又はＤの内の１つ以上から（たとえば、密度読みとり値を提供することによって）測定する。この方法は、従来のシステムで可能である以上に校正刷りデバイスプロフィールに対するソリッド密度を制御できるという利点がある。
ステップ１３０４では、本方法は、値Ｘ１（サンプル）によって代表されるように、各サンプルに対する結果を計算する。ある特定の実施形態では、次にようになる：
Ｘ１（サンプル）  ＝  複数のセグメントの平均のソリッド又は階調主要密度−Ｐ（サンプル）
2004538174.tif 000020
【０１０８】
言い換えれば、制御セットポイントＴ−０２の密度値を、変換済みセグメント６００Ａ、Ｂ、Ｃ及び／又はＤに対して測定する。
【０１０９】
ステップ１３０６では、値Ｙ１（サンプル）によって代表される各サンプルの値を、変換済みセグメント６００Ａ、Ｂ、Ｃ及び／又はＤの階調とソリッド色サンプル（たとえば、１００、７５、５０及び２５パーセントドット値）に対応する制御セットポイントに対する参照された校正刷りデバイスプロフィールの平均主要密度−Ｐ毎に計算する。ステップ１３０８では、本方法は、Ｘ１からＹ１を減算することによって、変換済みセグメントのソリッド色サンプル及び階調カラーサンプルと校正刷りデバイスプロフィール間での密度変化を計算する。
【０１１０】
図１４は、図９のステップ９１８で説明したように、プレスプロフィールを基準として印刷物制作品質管理を実行するために用いられる方法の例である。ステップ１４０２で、色サンプルを、プレスカラーバーの線形セグメント６０１、６０２、６０３及び／又は６０４の内の１つ以上から（たとえば、密度読みとり値を提供することによって）測定する。ステップ１４０４では、本方法は、値Ｘ２（サンプル）で代表されるような各サンプルに対して結果としての平均値を計算する。ある特定の実施形態では、次のようになる：
Ｘ２（サンプル）  ＝  平均のソリッド又は階調主要密度−Ｐ（サンプル）
2004538174.tif 000021
【０１１１】
ステップ１４０６では、値Ｙ２（サンプル）で代表されるプレスプロフィール実際ソリッド又は階調主要密度−Ｐ値は、線形セグメント６０１、６０２、６０３及び／又は６０４の階調とソリッドの色サンプル（たとえば、１００、７５、５０及び２５パーセントドット値）に対応するグループＮｏ．２データ制御セットポイントの参照されたプレスプロフィールに対する平均の主要密度−Ｐを用いて計算される。ステップ１４０８では、プレスプロフィールを、校正刷りデバイスプロフィール中の値により近似するようにＹ２に基づいて調整して、値Ｚ２、プレスプロフィールの調整済みソリッド又は階調主要密度−Ｐを生じる。このような調整のための１つの方法を、図１１を参照して説明する。ステップ１４１０で、この方法は、Ｘ２からＺ２を減算することによって、プレスプロフィールと線形セグメントソリッド及び階調色サンプル間の密度変化データを計算する。
【０１１２】
図１５は、印刷調整システム１５００のブロック図である。システム１５００は、通信リンク１５１５を含む多くのエレメントにカップリングされるコンピュータ１５２０を含む。たとえば、コンピュータ１５００は、通信リンク１５１５を介して、コンピュータネットワーク、電話回線、アンテナ、ゲートウエイ又は他の何らかの通信リンクにカップリングされる。コンピュータ１５２０もまた、入力デバイス１５１０、校正刷りデバイス１５４０及び／又はプレス出力デバイス１５５０にカップリングされる。プレス出力デバイス１５５０は、オフセットリソグラフィ、手紙プレス、フレキソ印刷、グラビア、スクリーン印刷などのプレスを用いる印刷済みプロダクツを提供することが可能なオフセットリソグラフィ制作印刷プレスなどのなんらかの印刷デバイスである。このような実施形態では、データは校正刷りデバイス１５４０及び／又はプレス出力デバイス１５５０から転送及び／又は受領されて、印刷物制作業務を実行するために自動的にデータを転送する。
【０１１３】
コンピュータ１５２０は、汎用又は特定目的用のコンピュータであり、また、プロセッサ１５５２と、ランダムアクセスメモリ（ＲＡＭ）及びリードオンリメモリ（ＲＯＭ）を含むメモリ１５２４とを含む。コンピュータ１５２０は、メモリ１５２４及び／又は入／出力デバイス１５１２にストアされる１つ以上の印刷調整用アプリケーション１５２６を実行するために用いられる。結果は、ディスプレイ１５１６を用いて表示される及び／又はなんらかの適切なストレージ媒体である入／出力デバイス１５１２にストアされる。データ処理は、コンピュータ１５２０又は別個のデバイス中に含まれる特別目的のディジタル回路を用いて実行される。このような専用のディジタル回路には、たとえば、特定用途向け集積回路（ＡＳＩＣ）、状態機械、ファジーロジック及び他の従来の回路が含まれる。コンピュータ１５２０は、公知のＭＳ−ＤＯＳ、ＰＣ−ＤＯＳ、ＯＳ２、ＵＮＩＸ（Ｒ）、ＭＡＣ−ＯＳ並びにウインドウオペレーティングシステムもしくは、非通常のオペレーティングシステムを含む他のオペレーティングシステムを実行するようになっている。
【０１１４】
入力デバイス１５１０は、分光測光器、デンシトメータ、スキャナまたは他の密度値提供動作可能デバイスなどの色密度測定デバイスである。こうする替りに、色密度測定を、たとえば、スキャナ、分光測光器又はデンシトメータで値を提供し、次に、測定結果をキーボード１５１４や他の手段を用いて入力することによって手動で実行することが可能である。
【０１１５】
ファイルを読みとったりストアしたりするための、また、通信するための追加の入／出力デバイスを含むことが可能である。本発明を実行するために、特定のタイプのハードウエアやソフトウエアを必要とするわけではないが、本書に記載するようなプロセスを実行することが可能である必要がある。代替例では、コンピュータ１５２０の代りに、本発明は、プログラムを実行する及び／又はデータファイルをストアするコンピュータ又はサーバコンピュータなどのインターネットを介してアクセス可能なシステムを含む、コンピュータのネットワーク上で又はこれと協力して実行するようにプログラムすることが可能である。たとえば、調整値を、フロッピディスクや、通信リンク１５１５や、これら双方の組み合わせを用いて電子的な形態でコンピュータ１５２０に提供してもよい。これで、制作印刷業務を、プレス出力デバイス１５５０を用いて実行する。
【０１１６】
図１、３〜５及び７〜１４に示す方法が、コンピュータ上で実行される。これらの方法は、様々なロジック的な又は機能的な校正を用いて実行され、また、複数のもしくは１つのステップで実行される。これらの方法はまた、実施形態しだいでは様々なステップを省略する。これらの方法は、オブジェクト指向、Ｆｏｒｔｒａｎ、C及び他の言語を含むどのような言語をも利用し、また、ある特定の実施形態では、Ｃｌｉｐｐｅｒなどの高級言語で書かれたりする。これらの方法は、マシン読みとり可能形態で、ＣＤ−ＲＯＭ、磁気ディスク又は他の媒体上にストアされ、また、インターネットを介してアクセスし、図１５００に示すようにダウンロードしてコンピュータに入力可能である。
【０１１７】
本発明を前記の詳細な記述でいくつかの実施形態を図示、説明したが、多くの変化、変更、変換及び修正が当業者には示唆され、また、本発明は、添付クレームの精神及び範囲に入るこのような変化、変更、修正及び変換を網羅することを意図するものである。
【図面の簡単な説明】
【０１１８】
本発明、その目的及び利点をより完全に理解されるように、以下の添付図面と共に次の説明を参照する。
【図１】本発明による印刷調整を実行する方法の例の図である。
【図２】本発明の教示による印刷調整データフォーム（「ＰＡＤＦ」）の図である。
【図３】本発明の教示による校正刷り（プルーフィング）デバイスプロフィールを作成する方法の例の図である。
【図４】本発明の教示によるプレスプロフィールを作成する方法の例の図である。
【図５】本発明の教示によるＰＡＤＦのプレスを実行する方法の例の図である。
【図６Ａ】本発明の教示にしたがって用いられるプレスカラーバーの例の図である。
【図６Ｂ】本発明の教示にしたがって用いられるプレスカラーバーの態様を図形的に示す図である。
【図７】本発明の教示による改善された印刷準備手順を実行する方法の例の図である。
【図８】本発明の教示によるプレスプロフィールのデータを測定する方法の例の図である。
【図９】本発明の教示にしたがって１Ｄ変換データを生成して、このデータを制作作業に適用する方法の例の図である。
【図１０】本発明の教示にしたがって１Ｄ変換データを生成する方法の例の図である。
【図１１】本発明の教示にしたがって、校正刷りデバイスプロフィールとプレスプロフィール間の差を補償するためにプレスプロフィール主要密度を調整する方法の例の図である。
【図１２】本発明の教示にしたがって、１Ｄ変換データ値を生成する方法の例の図である。
【図１３】本発明の教示にしたがって印刷物制作品質管理を実行する方法の例の図である。
【図１４】本発明の教示にしたがって印刷物制作品質管理を実行する別の方法の例の図である。
【図１５】本発明の教示にしたがって用いられる例示のコンピュータを示すハイレベルの図である。
【図１】
2004538174.tif 000022
【図２】
2004538174.tif 000023
【図３】
2004538174.tif 000024
【図４】
2004538174.tif 000025
【図５】
2004538174.tif 000026
【図６Ａ】
2004538174.tif 000027
【図６Ｂ】
2004538174.tif 000028
【図７】
2004538174.tif 000029
【図８】
2004538174.tif 000030
【図９】
2004538174.tif 000031
【図１０】
2004538174.tif 000032
【図１１】
2004538174.tif 000033
【図１２】
2004538174.tif 000034
【図１３】
2004538174.tif 000035
【図１４】
2004538174.tif 000036
【図１５】
2004538174.tif 000037
【国際公開パンフレット】
2004538174.tif 000038
2004538174.tif 000039
2004538174.tif 000040
2004538174.tif 000041
2004538174.tif 000042
2004538174.tif 000043
2004538174.tif 000044
2004538174.tif 000045
2004538174.tif 000046
2004538174.tif 000047
2004538174.tif 000048
2004538174.tif 000049
2004538174.tif 000050
2004538174.tif 000051
2004538174.tif 000052
2004538174.tif 000053
2004538174.tif 000054
2004538174.tif 000055
2004538174.tif 000056
2004538174.tif 000057
2004538174.tif 000058
2004538174.tif 000059
2004538174.tif 000060
2004538174.tif 000061
2004538174.tif 000062
2004538174.tif 000063
2004538174.tif 000064
2004538174.tif 000065
2004538174.tif 000066
2004538174.tif 000067
2004538174.tif 000068
2004538174.tif 000069
2004538174.tif 000070
2004538174.tif 000071
2004538174.tif 000072
2004538174.tif 000073
2004538174.tif 000074
2004538174.tif 000075
2004538174.tif 000076
2004538174.tif 000077
2004538174.tif 000078
2004538174.tif 000079
2004538174.tif 000080
2004538174.tif 000081
2004538174.tif 000082
2004538174.tif 000083
2004538174.tif 000084
2004538174.tif 000085
2004538174.tif 000086
2004538174.tif 000087
2004538174.tif 000088
2004538174.tif 000089
2004538174.tif 000090
2004538174.tif 000091
2004538174.tif 000092
2004538174.tif 000093
2004538174.tif 000094
2004538174.tif 000095
2004538174.tif 000096
2004538174.tif 000097
2004538174.tif 000098
2004538174.tif 000099
2004538174.tif 000100
【国際調査報告】
2004538174.tif 000101
2004538174.tif 000102